(57)【要約】【課題】携帯電子機器の表示部に表示される画像の小容量化を実現し、かつ動きに変化のある画像を携帯電子機器の表示部に表示させること。【解決手段】携帯電子機器１は、待ち受け画像を表示する表示部１７と、待ち受け画像を構成するための複数の静止画像の情報を保存する記憶部と、待ち受け画像を表示部１７に表示させる際に、複数の静止画像を重ねて表示可能な第１の表示制御を行う処理部１２とを備える。複数の静止画像は、それぞれの画像における画像構成要素の配される位置と色との少なくとも一方が異なる。処理部１２は、複数の静止画像のうち、先に一の静止画像を表示したまま、後から他の静止画像をフェードインして重畳表示させ、少なくとも二つの静止画像が重畳表示される状態で、後から表示させた静止画像を表示させたまま、先に表示させた静止画像をフェードアウトさせることを繰り返す。【選択図】        図４
2010087606.tif 000002
【特許請求の範囲】
【請求項１】
所定の画像を表示する表示部と、
前記所定の画像を構成するための画像の情報であって、それぞれの画像における画像構成要素の配される位置及び／又は画像構成要素の色が異なる複数の静止画像の情報を保存する記憶部と、
前記表示部に前記所定の画像を表示させる際に、当該所定の画像として、前記複数の静止画像を重ねて表示可能な第１の表示制御を行う処理部と、を備え、
前記処理部は、
前記第１の表示制御で、前記所定の画像を表示している際に、前記複数の静止画像のうち、先に一の静止画像を表示したまま、後から他の静止画像をフェードインして重畳表示させ、少なくとも二つの静止画像が重畳表示される状態で、後から表示させた静止画像を表示させたまま、先に表示させた静止画像をフェードアウトさせ、当該フェードインとフェードアウトとを繰り返す
ことを特徴とする携帯電子機器。
【請求項２】
所定の画像を表示する表示部と、
少なくとも一つの静止画像である基準画像の情報を保存する記憶部と、
前記表示部に前記所定の画像を表示させる際に、前記基準画像から、当該基準画像の構成要素の配される位置及び／又は構成要素の色を異ならせた加工画像を生成し、前記所定の画像として、前記基準画像と前記加工画像とを重ねて表示可能な第１の表示制御を行う処理部と、を備え、
前記処理部は、
前記第１の表示制御で、前記所定の画像を表示している際に、基準画像及び加工画像のうち、一の画像を表示させた状態で、後から他の画像をフェードインして重畳表示させ、二つの画像が重畳表示される状態で、後から表示させた画像を表示させたまま、先に表示させた画像をフェードアウトさせ、当該フェードインとフェードアウトとを繰り返す
ことを特徴とする携帯電子機器。
【請求項３】
前記基準画像は、前記表示部の表示可能サイズよりも大きい静止画であり、
前記加工画像は、前記基準画像の表示範囲を変更した画像である
ことを特徴とする請求項２に記載の携帯電子機器。
【請求項４】
前記基準画像は、前記表示部の表示可能サイズよりも大きい静止画であり、
前記処理部は、
前記加工画像を、前記基準画像の構成要素の配される色をピクセル毎に異ならせることで生成する
ことを特徴とする請求項２に記載の携帯電子機器。
【請求項５】
前記加工画像と前記基準画像との互いに対応する座標のピクセルは、階調差により色の差が与えられ、
前記処理部は、
前記基準画像における所定の座標における所定のピクセルが、階調差の大きいエリアにあるピクセルであるか否かを判定し、階調差が大きいピクセルの場合には、当該ピクセルに対応する加工画像におけるピクセルの階調を、階調差の小さいエリアのピクセルの場合よりも大きく変更する
ことを特徴とする請求項４に記載の携帯電子機器。
【請求項６】
前記処理部は、
先に表示されている画像について、その透過率を時間の経過とともに徐々に上げ、その透過率が最大値になると前記先に表示されている画像を消すことにより前記フェードアウトを行い、透過率を最大にした状態で新たな画像を表示させ、その透過率を時間の経過とともに徐々に下げることで前記フェードインを行う
ことを特徴とする請求項１から５のいずれか１項に記載の携帯電子機器。
【請求項７】
前記記憶部には、前記第１の表示制御において用いる静止画像が第１のデザイン情報として保存されており、当該第１のデザイン情報とは異なる画像情報を有する第２のデザイン情報と、前記携帯電子機器の製造ＩＤとがさらに保存され、
前記処理部は、
前記製造ＩＤに基づいて、前記所定の画像を、前記第２のデザイン情報を用いた第２の表示制御と前記第１の表示制御とのいずれかにより表示する
ことを特徴とする請求項１から６のいずれか１項に記載の携帯電子機器。
【請求項８】
前記製造ＩＤは文字列を含んで構成され、当該文字列の一部には、前記携帯電子機器の筐体のデザインを一義的に示す情報が含まれている
ことを特徴とする請求項７に記載の携帯電子機器。
【請求項９】
前記製造ＩＤは文字列を含んで構成され、当該文字列の一部には、前記携帯電子機器の筐体の色を一義的に示す情報が含まれている
ことを特徴とする請求項８に記載の携帯電子機器。
【請求項１０】
前記表示部が設けられ、開閉可能に構成される筐体を備え、
前記処理部は、
前記筐体の状態が開状態になる、あるいは閉状態が解除されると、前記所定の画像の表示を前記表示部に行わせる
ことを特徴とする請求項１から９のいずれか１項に記載の携帯電子機器。
【請求項１１】
記憶部と表示部とを有する携帯電子機器における画像表示方法であって、
前記記憶部に保存される静止画像を用いて所定の画像を前記表示部に表示させる第１工程を備え、
前記第１工程には、
一の静止画像を表示した状態で、当該静止画像の画像構成要素の配される位置及び／又は色を異ならせた他の静止画像をフェードインさせる第２工程と、
前記第２工程においてフェードインさせた静止画像を表示させた状態で、先に表示していた静止画像をフェードアウトさせる第３工程と
を含むことを特徴とする携帯電子機器の画像表示方法。
【請求項１２】
それぞれの画像における画像構成要素の配される位置及び／又は色が異なる複数の静止画像が保存される記憶部と、表示部とを有する携帯電子機器における画像表示方法であって、
前記記憶部に保存される複数の静止画像を用いて所定の画像を前記表示部に表示させる第１工程を備え、
前記第１工程においては、
所定の静止画像を表示した状態で、当該所定の静止画像とは異なる静止画像をフェードインさせて重畳表示させる第２工程と、
後から表示された静止画像を表示させた状態で、先に表示していた静止画像をフェードアウトさせる第３工程と、
前記第２工程と前記第３工程とを繰り返す第４工程と、
を含むことを特徴とする携帯電子機器の画像表示方法。
【発明の詳細な説明】
【技術分野】
【０００１】
本発明は、画像を表示する表示部を備える携帯電子機器及び携帯電子機器の画像表示方法に関する。
【背景技術】
【０００２】
最近の携帯電子機器は、多彩な情報を多彩なデザインで表示部に表示できるようになっている。例えば、特許文献１には、携帯電子機器の表示部に動画を表示できるものが開示されている。
【０００３】
【特許文献１】特開２００２−３００２４１号公報
【発明の開示】
【発明が解決しようとする課題】
【０００４】
ところで、携帯電子機器の表示部に動画を表示させるためには、大容量のメモリが必要となる。本発明は、上記に鑑みてなされたものであって、携帯電子機器の表示部に表示される画像の小容量化を実現し、かつ動きに変化のある画像を携帯電子機器の表示部に表示させることを目的とする。
【課題を解決するための手段】
【０００５】
本発明に係る携帯電子機器は、所定の画像を表示する表示部と、前記所定の画像を構成するための画像の情報であって、それぞれの画像における画像構成要素の配される位置及び／又は画像構成要素の色が異なる複数の静止画像の情報を保存する記憶部と、前記表示部に前記所定の画像を表示させる際に、当該所定の画像として、前記複数の静止画像を重ねて表示可能な第１の表示制御を行う処理部と、を備え、前記処理部は、前記第１の表示制御で、前記所定の画像を表示している際に、前記複数の静止画像のうち、先に一の静止画像を表示したまま、後から他の静止画像をフェードインして重畳表示させ、少なくとも二つの静止画像が重畳表示される状態で、後から表示させた静止画像を表示させたまま、先に表示させた静止画像をフェードアウトさせ、当該フェードインとフェードアウトとを繰り返す構成としたものである。
【０００６】
本発明に係る携帯電子機器は、所定の画像を表示する表示部と、少なくとも一つの静止画像である基準画像の情報を保存する記憶部と、前記表示部に前記所定の画像を表示させる際に、前記基準画像から、当該基準画像の構成要素の配される位置及び／又は構成要素の色を異ならせた加工画像を生成し、前記所定の画像として、前記基準画像と前記加工画像とを重ねて表示可能な第１の表示制御を行う処理部と、を備え、前記処理部は、前記第１の表示制御で、前記所定の画像を表示している際に、基準画像及び加工画像のうち、一の画像を表示させた状態で、後から他の画像をフェードインして重畳表示させ、二つの画像が重畳表示される状態で、後から表示させた画像を表示させたまま、先に表示させた画像をフェードアウトさせ、当該フェードインとフェードアウトとを繰り返す構成としたものである。
【０００７】
また、本発明の携帯電子機器において、前記基準画像は、前記表示部の表示可能サイズよりも大きい静止画であり、前記加工画像は、前記基準画像の表示範囲を変更した画像としてもよい。
【０００８】
また、本発明の携帯電子機器において、前記基準画像は、前記表示部の表示可能サイズよりも大きい静止画であり、前記処理部は、前記加工画像を、前記基準画像の構成要素の配される色をピクセル毎に異ならせることで生成してもよい。
【０００９】
また、本発明の携帯電子機器において、前記加工画像と前記基準画像との互いに対応する座標のピクセルは、階調差により色の差が与えられ、前記処理部は、前記基準画像における所定の座標における所定のピクセルが、階調差の大きいエリアにあるピクセルであるか否かを判定し、階調差が大きいピクセルの場合には、当該ピクセルに対応する加工画像におけるピクセルの階調を、階調差の小さいエリアのピクセルの場合よりも大きく変更してもよい。
【００１０】
また、本発明の携帯電子機器において、前記処理部は、先に表示されている画像について、その透過率を時間の経過とともに徐々に上げ、その透過率が最大値になると前記先に表示されている画像を消すことにより前記フェードアウトを行い、透過率を最大にした状態で新たな画像を表示させ、その透過率を時間の経過とともに徐々に下げることで前記フェードインを行うようにしてもよい。
【００１１】
また、本発明の携帯電子機器において、前記記憶部には、前記第１の表示制御において用いる静止画像が第１のデザイン情報として保存されており、当該第１のデザイン情報とは異なる画像情報を有する第２のデザイン情報と、前記携帯電子機器の製造ＩＤとがさらに保存され、前記処理部は、前記製造ＩＤに基づいて、前記所定の画像を、前記第２のデザイン情報を用いた第２の表示制御と前記第１の表示制御とのいずれかにより表示するようにしてもよい。
【００１２】
また、本発明の携帯電子機器において、前記製造ＩＤは文字列を含んで構成され、当該文字列の一部には、前記携帯電子機器の筐体のデザインを一義的に示す情報が含まれているようにしてもよい。
【００１３】
また、本発明の携帯電子機器において、前記製造ＩＤは文字列を含んで構成され、当該文字列の一部には、前記携帯電子機器の筐体の色を一義的に示す情報が含まれているようにしてもよい。
【００１４】
また、本発明の携帯電子機器において、前記表示部が設けられ、開閉可能に構成される筐体を備え、前記処理部は、前記筐体の状態が開状態になる、あるいは閉状態が解除されると、前記所定の画像の表示を前記表示部に行わせてもよい。
【００１５】
本発明に係る携帯電子機器の画像表示方法は、記憶部と表示部とを有する携帯電子機器における画像表示方法であって、前記記憶部に保存される静止画像を用いて所定の画像を前記表示部に表示させる第１工程を備え、前記第１工程には、一の静止画像を表示した状態で、当該静止画像の画像構成要素の配される位置及び／又は色を異ならせた他の静止画像をフェードインさせる第２工程と、前記第２工程においてフェードインさせた静止画像を表示させた状態で、先に表示していた静止画像をフェードアウトさせる第３工程とを含む構成としたものである。
【００１６】
本発明に係る携帯電子機器の画像表示方法は、それぞれの画像における画像構成要素の配される位置及び／又は色が異なる複数の静止画像が保存される記憶部と、表示部とを有する携帯電子機器における画像表示方法であって、前記記憶部に保存される複数の静止画像を用いて所定の画像を前記表示部に表示させる第１工程を備え、前記第１工程においては、所定の静止画像を表示した状態で、当該所定の静止画像とは異なる静止画像をフェードインさせて重畳表示させる第２工程と、後から表示された静止画像を表示させた状態で、先に表示していた静止画像をフェードアウトさせる第３工程と、前記第２工程と前記第３工程とを繰り返す第４工程と、を含む構成としたものである。
【発明の効果】
【００１７】
本発明は、携帯電子機器の表示部に表示される画像の小容量化を実現し、かつ動きに変化のある多彩なデザインを携帯電子機器の表示部に表示させることができる。
【発明を実施するための最良の形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal Handyphone System）、ＰＤＡ、ポータブルナビゲーション装置、ノートパソコン、ゲーム機等に対しても本発明は適用できる。
【００１９】
（実施形態１）
図１は、実施形態１に係る携帯電子機器の正面図である。図２は、実施形態１に係る携帯電子機器の側面図である。図３は、実施形態１に係る携帯電子機器を閉じた状態を示す図である。まず、携帯電子機器の構成を説明する。携帯電子機器１は、無線通信機能を備えた携帯電話機である。携帯電子機器１は、筐体１Ｃが第１筐体１ＣＡと第２筐体１ＣＢとで開閉可能に構成された、折り畳み式の携帯電話機である。図１、図２は、携帯電子機器１を開いた状態を示し、図３は、携帯電子機器１を閉じた状態を示す。
【００２０】
まず、携帯電子機器１の構成を説明する。第１筐体１ＣＡには、表示部として、図１に示すメインディスプレイ２Ｍが設けられる。また、第１筐体１ＣＡには、同じく表示部として図３に示すサブディスプレイ２Ｓが設けられる。メインディスプレイ２Ｍとサブディスプレイ２Ｓとは、第１筐体１ＣＡの対向する面にそれぞれ配置されており、携帯電子機器１を閉じたときには、サブディスプレイ２Ｓをユーザーが目視できるように構成される。
【００２１】
メインディスプレイ２Ｍは、所定の画像として、携帯電子機器１が受信を待機している状態のときに待ち受け画像を表示したり、携帯電子機器１の操作を補助するために用いられるメニュー画像を表示したりする。ここで、待ち受け画像とは、携帯電子機器１が通信（バックグラウンド動作を除く）しておらず、かつユーザーからの操作も発生しておらず、かつユーザーからの指示を待ち受けている場合に、メインディスプレイ２Ｍに表示されるものであって、壁紙ともいう。待ち受け画像は、静止画、動画のいずれも含み、前述した条件で表示されるものであれば、スクリーンセーバーと称されるものも待ち受け画像に含まれる。サブディスプレイ２Ｓは、図３に示すように、携帯電子機器１を閉じている状態において、携帯電子機器１の電池の残量や電波の受信状態等を表示する。また、第１筐体１ＣＡには、携帯電子機器１の通話時に音声を発するスピーカ６が設けられる。
【００２２】
第２筐体１ＣＢには、通話相手の電話番号や、メール作成時等に文字を入力するための操作キー３が複数設けられ、また、メインディスプレイ２Ｍに表示されるメニューの選択及び決定や画面のスクロール等を容易に実行するための方向及び決定キー４が設けられる。第２筐体１ＣＢにはアンテナ７が設けられており、携帯電子機器１と基地局との間における送受信に用いられる。なお、操作キー３及び方向及び決定キー４は、携帯電子機器１の操作部を構成する。
【００２３】
図２に示すように、本実施形態において、第２筐体１ＣＢの一つの側部（操作キー３や方向及び決定キー４が設けられる面と略直交する面のうちの一つ）には、通信用端子８が設けられる。通信用端子８は、第２筐体１ＣＢ内に設けられる記憶部に第２筐体１ＣＢの外部から情報を保存したり、前記記憶部に保存される情報を第２筐体１ＣＢの外部へ取り出したりする際に用いられる。前記記憶部に保存される情報は、例えば、携帯電子機器１の制御に用いるソフトウェアや画像データ、あるいは音声データ等である。また、第２筐体１ＣＢには、携帯電子機器１の通話時に音声を受け取るマイク５が設けられる。
【００２４】
第１筐体１ＣＡと第２筐体１ＣＢとは、ヒンジ９で連結されている。これによって、第１筐体１ＣＡ及び第２筐体１ＣＢは、ヒンジ９を中心としてともに回動して、互いに遠ざかる方向及び互いに接近する方向（図２の矢印Ｒで示す方向）に回動できるように構成される。第１筐体１ＣＡと第２筐体１ＣＢとが互いに遠ざかる方向に回動すると携帯電子機器１が開き、第１筐体１ＣＡと第２筐体１ＣＢとが互いに接近する方向に回動すると携帯電子機器１が閉じる。
【００２５】
図４は、実施形態１に係る携帯電子機器の機能を説明するブロック図である。携帯電子機器１は、通信部１１と、処理部１２と、記憶部１３と、音声処理部１４と、マイク５（ＭＩＣ）と、スピーカ６（ＳＰ）と、表示部１７と、操作部１８とを有する。通信部１１は、アンテナ７を備えており、基地局のいずれかによって割り当てられるチャネルを介して、前記基地局との間で無線通信を行う。
【００２６】
処理部１２は、携帯電子機器１の全体的な動作を統括的に制御する。すなわち、携帯電子機器１の各種の処理が、操作部１８の操作や携帯電子機器１の記憶部１３に保存されるソフトウェアに応じて適切な手順で実行されるように、通信部１１や表示部１７等の動作を制御する。携帯電子機器１の各種の処理としては、例えば、回線交換網を介して行われる音声通話、電子メールの作成及び送受信、インターネットのＷｅｂ（World Wide Web）サイトの閲覧等がある。また、通信部１１や表示部１７等の動作としては、例えば、通信部１１における信号の送受信、表示部１７における画像の表示等があり、音声処理部１４の動作としては、音声の入出力等がある。
【００２７】
処理部１２は、記憶部１３に保存されているプログラム（例えば、オペレーティングシステムプログラム、アプリケーションプログラム等）に基づいて処理を実行する。処理部１２は、例えば、マイクロプロセッサユニット（ＭＰＵ：Micro Processor Unit）で構成され、前記ソフトウェアで指示された手順にしたがって上述した携帯電子機器１の各種の処理を実行する。すなわち、処理部１２は、記憶部１３に保存されるオペレーティングシステムプログラムやアプリケーションプログラム等から命令コードを順次読み込んで処理を実行する。
【００２８】
処理部１２は、複数のアプリケーションプログラムを実行する機能を有する。処理部１２が実行するアプリケーションプログラムとしては、例えば、携帯電子機器１がリセットされてから最初に電源起動したときに携帯電子機器１の初期設定をするアプリケーションプログラム、画像ファイルをデコードするアプリケーションプログラム、及びデコードして得られる画像を表示部１７に表示するアプリケーションプログラム等の複数のアプリケーションプログラムがある。このため、処理部１２は、主処理部１２ａと、筐体開閉検知部１２ｂと、画像表示処理部１２ｃと、デコード処理部１２ｄと、表示制御部１２ｅと、ファイルシステム制御部１２ｆとを含んで構成される。
【００２９】
筐体開閉検知部１２ｂは、主処理部１２ａによる制御の下、図１に示す携帯電子機器１の筐体１Ｃの閉状態を検知して、これを画像表示処理部１２ｃへ通知する。筐体１Ｃが閉状態でない場合、すなわち、筐体１Ｃが開状態であることを通知された画像表示処理部１２ｃは、待ち受け画像表示タスク１３ａを実行する。本実施形態において、待ち受け画像表示タスク１３ａは、例えば、待ち受け画像の表示が必要になった場合に、表示すべき待ち受け画像を記憶部１３から読み出してデコードし、メインディスプレイ２Ｍに表示するものである。また、待ち受け画像表示タスク１３ａは、待ち受け画像の表示用に用意されたデータファイルを記憶部１３から読み出し、読み出された待ち受け画像をデコードし、表示部１７に表示するものである。
【００３０】
ここで、待ち受け画像の表示が必要になった場合とは、例えば、携帯電子機器１の筐体１Ｃが開状態にあることを筐体開閉検知部１２ｂが検知した場合や、通信や操作画面が終了した場合等である。このような場合、画像表示処理部１２ｃは、待ち受け画像表示タスク１３ａを実行して、表示すべき待ち受け画像を表示部１７に表示する。筐体開閉検知部１２ｂが筐体１Ｃの閉状態を検知した場合、画像表示処理部１２ｃは、サブディスプレイ２Ｓに、受信状態や電池の残量といった必要最小限の表示をする。
【００３１】
なお、本実施形態において、処理部１２の処理負荷が軽減される状態に移行したときに、記憶部１３から次にデコードすべき待ち受け画像の情報を読み出してデコードするように、待ち受け画像表示タスク１３ａを構成してもよい。これによって、画像表示処理部１２ｃは、処理部１２の空き時間に待ち受け画像のデコードを実行するので、処理部１２をより効果的に利用できるとともに、所定のイベントが発生してから待ち受け画像を表示するまでのタイムラグを低減できる。ここで、処理部１２の処理負荷が軽減される状態とは、携帯電子機器１の筐体１Ｃが閉状態にある場合等である。筐体開閉検知部１２ｂが筐体１Ｃの閉状態を検出したとき、すなわち、携帯電子機器１の筐体１Ｃの開状態を検出しなくなったときに、携帯電子機器１の筐体１Ｃが閉状態であることが検知される。
【００３２】
主処理部１２ａは制御中枢となり、筐体開閉検知部１２ｂ、画像表示処理部１２ｃ、デコード処理部１２ｄ、表示制御部１２ｅ、ファイルシステム制御部１２ｆのシーケンス制御を司る。また、筐体開閉検知部１２ｂ、画像表示処理部１２ｃ、デコード処理部１２ｄ、表示制御部１２ｅ、ファイルシステム制御部１２ｆがそれぞれ有する機能は、処理部１２及び記憶部１３で構成されるハードウェア資源が、主処理部１２ａによって割り当てられるタスクを実行することにより実現される。ここで、タスクとは、アプリケーションソフトウェアが行っている処理全体、又は同じアプリケーションソフトウェアが行っている処理のうち、同時に実行できない処理単位である。
【００３３】
本実施形態において、前記ハードウェア資源が割り当てられるタスクのうち代表的なものは、待ち受け画像表示タスク１３ａ、デコードタスク１３ｂ、表示制御タスク１３ｃ、ファイルシステム制御タスク１３ｄである。これらのタスクは、例えば、記憶部１３に保存される。デコードタスク１３ｂはデコード処理部１２ｄによって実行され、表示制御タスク１３ｃは表示制御部１２ｅによって実行され、ファイルシステム制御タスク１３ｄはファイルシステム制御部１２ｆによって実行される。
【００３４】
待ち受け画像表示タスク１３ａは、少なくとも携帯電子機器１が受信待機状態になっているときに、携帯電子機器１の表示部１７のうち、主にメインディスプレイ２Ｍに表示される待ち受け画像を表示する機能を有する。デコードタスク１３ｂは、ＪＰＥＧ（Joint Photographic Experts Group）やＧＩＦ（Graphic Interchange Format）等の画像形式の画像データ、あるいはＦｌａｓｈ（登録商標、以下同様）等の画像データをＲＧＢ（Red Green Blue）データにデコード変換する機能を有する。表示制御タスク１３ｃは、メインディスプレイ２Ｍへ待ち受け画像やメニュー画像、あるいはスクリーンセーバー等を表示する制御や、サブディスプレイ２Ｓへ時計や受信状態を表示する制御を実行する機能を有する。ファイルシステム制御タスク１３ｄは、待ち受け画像やメニュー画像、あるいはスクリーンセーバー等をメインディスプレイ２Ｍに表示する際に用いるＪＰＥＧやＧＩＦ等の画像データや、待ち受け画像等を生成する画像のパッケージファイルを管理する機能を有する。
【００３５】
本実施形態において、処理部１２を構成する主処理部１２ａ、筐体開閉検知部１２ｂ、画像表示処理部１２ｃ、デコード処理部１２ｄ、表示制御部１２ｅ、ファイルシステム制御部１２ｆがそれぞれ有する機能は、記憶部１３に保存されるタスクを処理部１２で実行することにより実現されるものである。したがって、処理部１２内において、主処理部１２ａ、筐体開閉検知部１２ｂ、画像表示処理部１２ｃ等は、それぞれ物理的に区別されて構成されるものではなく、本実施形態では、あくまで説明の便宜上、主処理部１２ａ、筐体開閉検知部１２ｂ、画像表示処理部１２ｃ等を分けて説明するものである。なお、処理部１２内において、主処理部１２ａ、筐体開閉検知部１２ｂ、画像表示処理部１２ｃ等を、それぞれ物理的に区別して、すなわち、それぞれの機能を実現する専用のハードウェアとして構成してもよい。
【００３６】
記憶部１３には、表示部１７に表示される画像データが保存される画像データ保存部１３ｅが設けられる。なお、記憶部１３には、上述したタスクの他、さらに、処理部１２での処理に利用されるソフトウェアやデータが保存される。例えば、通信、ダウンロードされた画像データや音声データ等、あるいは記憶部１３に対する制御に処理部１２が用いるソフトウェア、通信相手の電話番号やメールアドレス等を保存し、管理するアドレス帳、発信音や着信音等の音声ファイル、ソフトウェアの処理過程で用いられる一時的なデータ等が記憶部１３に保存される。なお、ソフトウェアの処理過程で用いられるコンピュータプログラムや一時的なデータは、処理部１２の主処理部１２ａによって記憶部１３に割り当てられた作業領域へ一時的に保存される。記憶部１３は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００３７】
音声処理部１４は、スピーカ６から出力される音声信号やマイク５に入力される音声信号の処理を実行する。すなわち、音声処理部１４は、マイク５から入力される音声を増幅し、ＡＤ変換（Analog Digital変換）を実行した後さらに符号化等の信号処理を施して、ディジタルの音声データに変換して処理部１２へ出力する。また、処理部１２から送られる音声データに対して復号化、ＤＡ変換（Digital Analog変換）、増幅等の処理を施してアナログの音声信号に変換してから、スピーカ６へ出力する。
【００３８】
表示部１７は、携帯電子機器１の筐体１Ｃを閉じたときに隠れ、開いたときに露出するメインディスプレイ２Ｍと、筐体１Ｃを閉じたときでも筐体１Ｃの外側に露出するサブディスプレイ２Ｓとで構成される。メインディスプレイ２Ｍ及びサブディスプレイ２Ｓは、例えば、液晶表示パネルや有機ＥＬ（Electro Luminescence）パネルのような表示デバイスで構成されており、処理部１２から送られる映像信号（待ち受け画像やメニュー画像等の映像信号であり、静止画、動画を含む）に応じた画像を表示する。メインディスプレイ２Ｍには、例えば、待ち受け画像、メニュー画像、発信時における発信相手の電話番号、着信時における着信相手の電話番号、受信メールや送信メールの内容、バッテリの残量、発信成否、待ち受け画像、メニュー画像等の各種の情報が表示される。また、サブディスプレイ２Ｓには、日付や時刻、受信状態、バッテリ残量等が表示される。
【００３９】
操作部１８は、図１に示す操作キー３や方向及び決定キー４を含んで構成されている。操作キー３は複数のキーで構成され、また、方向及び決定キー４は複数のスイッチで構成される。複数のキーや複数のスイッチには、電源、通話、数字、文字、方向、決定、発信等、携帯電子機器１の操作に必要な各種の機能が割り当てられている。そして、操作キー３や方向及び決定キー４がユーザーによって操作されることにより、操作キー３や方向及び決定キー４は、その操作内容に割り当てられた信号を発生する。そして、発生した信号は、ユーザーの指示として処理部１２へ入力される。
【００４０】
次に、本実施形態に係る携帯電子機器の画像表示方法（以下画像表示方法という）を説明するとともに、本実施形態に係る画像表示方法を用いて携帯電子機器１の表示部１７に所定の画像を表示させる処理を説明する。以下の説明において、表示部１７に表示させる所定の画像は、待ち受け画像とする。また、表示部１７は、メインディスプレイ２Ｍ及びサブディスプレイ２Ｓを含むが、以下においては、待ち受け画像を表示部１７のメインディスプレイ２Ｍに表示させるものとして説明する。
【００４１】
図５は、本実施形態に係る画像表示方法により画像を表示させる処理の一例を示す流れ図である。図６は、画像パッケージファイルの概念図である。本実施形態では、画像パッケージファイル５０のデータに基づいて、待ち受け画像をメインディスプレイ２Ｍに表示させる。画像パッケージファイル５０は、図６に示すように、待ち受け画像として表示される画像のデータ（画像情報）５１及びその処理方法の情報（処理情報）５２がパッケージ化され、かつ所定のデータサイズ（例えば１００ｋＢ）を超えない単一のデータファイルとして取り扱われるファイルである。画像パッケージファイル５０として、本実施形態ではＦｌａｓｈを用い、Ｆｌａｓｈによって本実施形態に係る画像表示方法を実現する。なお、画像パッケージファイルとしては、例えば、Ｊａｖａ（登録商標、以下同様）等で記述されたデータファイルを用いてもよい。
【００４２】
Ｆｌａｓｈは、図４に示す携帯電子機器１のメインディスプレイ２Ｍに表示される画像の背景の色について指定する背景情報と、背景上に表示する表示オブジェクトを指定するオブジェクト情報と、表示オブジェクトの処理や動作について指定するオブジェクト処理命令とを含んで構成される。図６に示す画像パッケージファイル５０をＦｌａｓｈのデータに対応させると、例えば、背景情報及びオブジェクト情報が画像情報５１に格納され、オブジェクト処理命令が処理情報５２に格納されて、単一のデータファイル、すなわちＦｌａｓｈのデータファイルを構成する。Ｆｌａｓｈは、オブジェクトに対して多彩な動作や処理を指定することが可能なので、本実施形態に係る画像生成方法を簡易に実現できる。
【００４３】
待ち受け画像は、所定のイベントが発生したときに携帯電子機器１のメインディスプレイ２Ｍに表示される。所定のイベントとは、例えば、携帯電子機器１が受信を待ち受けている状態、すなわち待ち受け状態が発生したときである。ここで、待ち受け状態とは、携帯電子機器１が網側からの着信あるいは呼び出しを待機している状態である。例えば、図４に示す処理部１２の主処理部１２ａは、携帯電子機器１の筐体１Ｃの状態が開状態になること、あるいは閉状態が解除されたことのいずれかを筐体開閉検知部１２ｂが検知した場合に、携帯電子機器１は待ち受け状態であると判断する。そして、待ち受け状態である場合、主処理部１２ａは、処理部１２の画像表示処理部１２ｃに、携帯電子機器１のメインディスプレイ２Ｍへ待ち受け画像の表示を行わせる。携帯電子機器１が待ち受け状態でない場合（ステップＳ１０１：Ｎｏ）、待ち受け画像は表示されない。
【００４４】
携帯電子機器１が待ち受け状態となった場合（ステップＳ１０１：Ｙｅｓ）、待ち受け画像をメインディスプレイ２Ｍに表示させることができる状態になる。この場合、主処理部１２ａは、画像表示処理部１２ｃに制御を移す。すなわち、主処理部１２ａは、処理部１２及び記憶部１３のハードウェア資源を、待ち受け画像表示タスク１３ａに割り当てる。これにより、画像表示処理部１２ｃは待ち受け画像表示タスク１３ａを実行して、待ち受け画像の表示に必要な情報を読み出す（ステップＳ１０２）。このため、画像表示処理部１２ｃは、ファイルシステム制御部１２ｆに、メインディスプレイ２Ｍに表示させる待ち受け画像が格納された画像パッケージファイル（Ｆｌａｓｈのデータファイル）を読み出す画像読み出し要求を発行する。
【００４５】
すると、ファイルシステム制御部１２ｆは、ファイルシステム制御タスク１３ｄを実行して、待ち受け画像が格納された画像パッケージファイルを、記憶部１３の画像データ保存部１３ｅから読み出す。必要な画像パッケージファイルが選出されたら、ファイルシステム制御タスク１３ｄは終了する。ファイルシステム制御タスク１３ｄが終了したら、ファイルシステム制御部１２ｆは、画像表示処理部１２ｃに完了通知を発行する。画像表示処理部１２ｃは、ファイルシステム制御部１２ｆにより読み出された画像パッケージファイルに記述された処理方法を実行して画像パッケージファイルの画像情報を処理することにより、待ち受け画像を生成する。生成された待ち受け画像は、表示制御部１２ｅによりメインディスプレイ２Ｍに表示される（ステップＳ１０３）。次に、処理部１２が、本実施形態に係る画像表示方法によりメインディスプレイ２Ｍに待ち受け画像を表示させる制御をより詳細に説明する。
【００４６】
図７は、携帯電子機器のメインディスプレイのサイズを示す説明図である。次に説明する表示処理例において、待ち受け画像を表示させる携帯電子機器１のメインディスプレイ２Ｍは、Ｗ−ＱＶＧＡ（Wide-Quarter Video Graphics Array）であるとする。Ｗ−ＱＶＧＡは、縦が４００ピクセル、横が２４０ピクセル（４００×２４０ピクセル）の解像度である。なお、メインディスプレイ２Ｍは、Ｗ−ＱＶＧＡに限定されるものではない。
【００４７】
［表示処理例１］
表示処理例１は、複数の静止画像を用いて所定の画像を携帯電子機器１のメインディスプレイ２Ｍに表示させる第１工程を含んでいる。この第１工程においては、複数の静止画像の中から所定の静止画像を表示した状態で、表示中の所定の静止画像とは異なる静止画像をフェードインさせて重畳表示させる第２工程と、後から表示された静止画像、すなわちフェードインさせて表示された静止画像を表示させた状態で、先に表示していた静止画像をフェードアウトさせる第３工程と、第２工程と第３工程とを繰り返す第４工程と、を含む。処理部１２の画像表示処理部１２ｃが、画像パッケージファイルに記述されたＦｌａｓｈのオブジェクト処理命令を実行することにより、Ｆｌａｓｈによる画像表示処理が実行され、表示処理例１に係る画像表示処理が実現される。
【００４８】
図８は、表示処理例１に用いる複数の静止画像の寸法を示す説明図である。表示処理例１では、複数の静止画像を重ねて表示可能な表示制御（第１の表示制御）が実行されるが、次の説明では、複数の静止画像として、静止画像Ｘと静止画像Ｙとの二つを予め用意して、これらを重ねて表示させる。なお、重畳表示させる静止画像は二つに限定されるものではない。図８に示すように、静止画像Ｘ及び静止画像Ｙのサイズは、４００×２４０ピクセルである。表示処理例１において、静止画像Ｘ及び静止画像Ｙは、４００×２４０ピクセル内に記載された細かい水色の水面画像とする。
【００４９】
この水面画像は、様々な水色の点の集合体を画像構成要素として描かれており、明るくて白に近い水色の点や、暗くて紺色の点を多数含んで構成される。静止画像Ｘと静止画像Ｙとは、画像構成要素の配される位置及び／又は色が異なっているが、メインディスプレイ２Ｍに表示される画像としては似通っている。表示処理例１において、静止画像Ｘと静止画像Ｙとは、画像構成要素の色、より具体的には画像構成要素の色の明暗に違いを持たせてあるが、画像構成要素の配される位置に違いを持たせてもよいし、前記色及び位置の両方に違いを持たせてもよい。静止画像Ｘ及び静止画像Ｙは、図６に示す画像情報５１に格納され、画像パッケージファイル５０とともに記憶部１３の画像データ保存部１３ｅに保存される。
【００５０】
表示処理例１で用いるＦｌａｓｈは、静止画像Ｘ及び静止画像Ｙそのものをオブジェクトとして扱い、それぞれの静止画像Ｘ、静止画像Ｙに対してタイミングを互い違いとしたアルファ処理を指定する。なお、黒い背景上に水面が描かれた画像をオブジェクト（すなわち静止画像Ｘ、Ｙ）としてもよいし、Ｆｌａｓｈデータ上の背景色として黒を指定した上でオブジェクト（すなわち静止画像Ｘ、Ｙ）を水面画像だけとしてもよい。
【００５１】
アルファ処理は、オブジェクトの透過率を変更する透過処理である。アルファ処理において透過率を１００％とすると、オブジェクトが透明になり、背景色や、透明となったオブジェクトの裏面側に重なるオブジェクトが透けて見えることになる。また、アルファ処理において、透過率を０％とすると、オブジェクトが非透明になり、背景色や、被透明となったオブジェクトの裏面側に重なるオブジェクトは透けては見えなくなる。
【００５２】
複数の静止画像Ｘ、Ｙを用いて待ち受け画像をメインディスプレイ２Ｍに表示させる場合（第１工程）、画像パッケージファイルに記述されたＦｌａｓｈのオブジェクト処理命令が処理部１２の画像表示処理部１２ｃにより実行される。すると、画像表示処理部１２ｃは、静止画像Ｘを表示させた状態で、その透過率を０％から１００％（非表示）まで徐々に変化させる。このとき、画像表示処理部１２ｃは、同時に静止画像Ｙを１００％（非表示）から０％まで徐々に変化させる。これによって、静止画像Ｘを表示した状態で、静止画像Ｘとは異なる静止画像Ｙをフェードインさせて重畳表示させる第２工程、及び少なくとも二つの静止画像Ｘ、Ｙが重畳表示される状態で、後から表示された静止画像Ｙを表示させたまま、先に表示していた静止画像Ｘをフェードアウトさせる第３工程が実行される。
【００５３】
画像表示処理部１２ｃが、静止画像Ｘを透過率０％で表示するときには静止画像Ｘのみの表示となり、画像表示処理部１２ｃが、静止画像Ｙを透過率０％で表示するときには静止画像Ｙのみの表示となる。また、画像表示処理部１２ｃが、静止画像Ｘの透過率及び静止画像Ｙの透過率をともに０％あるいは１００％以外で表示させるとき（例えば両者をともに５０％で表示させるとき）には、両者が重畳表示される。次に、表示処理例１における静止画像Ｘ、Ｙの透過率の時間変化を説明する。
【００５４】
図９は、表示処理例１において待ち受け画像を表示させる際に用いる複数の静止画像の透過率の時間変化を示す図である。表示処理例１において、画像表示処理部１２ｃは、先にメインディスプレイ２Ｍに表示されている静止画像Ｘの透過率を０％から１００％まで時間の経過とともに徐々に上げる。そして、画像表示処理部１２ｃは、透過率が最大値（表示処理例１では１００％）に到達したら、静止画像Ｘを消すことによりフェードアウトを行う。また、画像表示処理部１２ｃは、透過率を最大、すなわち１００％とした状態で新たな画像、すなわち静止画像Ｙをメインディスプレイ２Ｍに表示させ、その透過率を時間の経過とともに、徐々に下げることでフェードアウトを行う。
【００５５】
なお、透過率が１００％になった静止画像Ｘは、その後時間の経過とともに透過率が最小値（表示処理例１では０％）まで下げられることによりフェードインし、再びメインディスプレイ２Ｍに表示される。また、透過率が０％になった静止画像Ｙは、その後時間の経過とともに透過率が最大値まで上げられることによりフェードアウトする。そして、待ち受け画像の表示が終了されるまで、静止画像Ｘ、Ｙはフェードイン、フェードアウトを繰り返す。このように、静止画像Ｘ、Ｙの透過率を時間とともに変化させることで、簡単にフェードイン、フェードアウトを実現できる。
【００５６】
静止画像Ｘ、Ｙの透過率を上記のように変化させるにあたり、画像表示処理部１２ｃは、静止画像Ｘ、Ｙの透過率を、所定の時間Δｔの間に、所定の大きさずつ徐々に変化させる。（表示処理例１ではΔｔを２．５秒とし、Δｔの間に変化させる透過率を５０％とするが、これに限定されるものではない。
【００５７】
図９に示すように、表示処理例１において、画像表示処理部１２ｃは、静止画像Ｘ、Ｙの透過率を、静止画像Ｘ、Ｙがメインディスプレイ２Ｍに表示されてから、待ち受け画像の表示が終了するまでの間、周期的に、かつ位相を異ならせて変化させる。表示制御例１において、画像表示処理部１２ｃが静止画像Ｘ、Ｙの透過率を変化させる１周期は４×Δｔであり、１周期を３６０度とすると、静止画像Ｘの透過率の波形と静止画像Ｙの透過率の波形とでは、位相が１８０度ずれている。これによって、静止画像Ｘがフェードアウトするときには静止画像Ｙがフェードインし、静止画像Ｘがフェードインするときには静止画像Ｙがフェードアウトする。次に、静止画像Ｘ、Ｙを説明する。
【００５８】
図１０−１、図１０−２は、静止画像の拡大図である。図１０−１、図１０−２に示すように、静止画像Ｘ、Ｙをｘｙ座標上に示す。図１０−１に示す静止画像Ｘと図１０−２に示す静止画像Ｙとでは、ｘｙ座標は共通である。図１０−１に示すように、静止画像Ｘの所定の座標（ａ、ｂ）のピクセルには白に近い点が、その隣のピクセル（ａ＋１、ｂ）には水色の点がそれぞれ描かれている。一方、図１０−２に示すように、静止画像Ｙの所定の座標（ａ、ｂ）には水色の点が、その隣のピクセル（ａ＋１、ｂ）には白に近い点がそれぞれ描かれている。このように、静止画像Ｘ、Ｙは、隣接するピクセル同士が同系色の濃淡・明暗の差異のみで描かれていることが好ましい。このように構成された静止画像Ｘと静止画像Ｙとが図９に示すようなタイミングでそれぞれの透過率が変化する。これによって、メインディスプレイ２Ｍに表示される待ち受け画像は、あたかも白い点がゆっくりと２×Δｔ（５秒）かけて座標（ａ、ｂ）から座標（ａ＋１、ｂ）へ移動し、その後２×Δｔかけて座標（ａ＋１、ｂ）から座標（ａ、ｂ）へ移動したかのように映る。その結果、表示処理例１では、動きのある待ち受け画像をメインディスプレイ２Ｍに表示できる。
【００５９】
［表示処理例２］
上述した表示処理例１は、複数の静止画像を用いる。表示処理例２では、静止画像である基準画像から、基準画像の構成要素の配される位置及び／又は構成要素の色を異ならせた加工画像を生成し、基準画像と生成された加工画像とを重ねて待ち受け画像として表示する表示制御（第１の表示制御）が行われる。表示処理例２は、記憶部に保存される静止画像、すなわち基準画像を用いて所定の画像をメインディスプレイ２Ｍに表示させる第１工程を含む。この第１工程には、一の静止画像、すなわち、基準画像又は加工画像のいずれか一つを表示した状態で、表示させている静止画像の画像構成要素の配される位置及び／又は色を異ならせた他の静止画像をフェードインさせる第２工程と、第２工程においてフェードインさせる静止画像を表示させた状態で、先に表示していた静止画像をフェードアウトさせる第３工程と、を含む。なお、待ち受け画像は、フェードインとフェードアウトとを繰り返すことで、メインディスプレイ２Ｍに表示される。
【００６０】
図１１−１は、基準画像の模式図、図１１−２は、加工画像の模式図である。表示処理例２では、まず、基準画像Ｐ１を予め用意しておく。基準画像Ｐ１は静止画像であり、その画像サイズは、メインディスプレイ２Ｍの表示可能サイズよりも若干大きい４１０×２５０ピクセルとする。基準画像Ｐの図柄は、表示処理例１と同じく水面画像である。表示処理例２において、画像表示処理部１２ｃは、基準画像Ｐ１と、基準画像Ｐ１の構成要素の配される位置及び／又は構成要素の色を異ならせた加工画像Ｐ２とを用いてメインディスプレイ２Ｍに待ち受け画像を表示させる。表示処理例２においては、基準画像Ｐ１の構成要素の配される位置と加工画像Ｐ２の構成要素の配される位置とが異なる以外は、基準画像Ｐ１と加工画像Ｐ２とは同一である。
【００６１】
表示処理例２では、Ｆｌａｓｈで基準画像Ｐ１をオブジェクトとして扱い、このオブジェクトに対してタイミングを異ならせたアルファ処理を指定して、このオブジェクトを２回（あるいは複数回）描画する。また、表示処理例１と同様に、黒い背景上に水面が描かれた画像自体をオブジェクト、すなわち基準画像Ｐ１としてもよいし、Ｆｌａｓｈのデータ上の背景色として黒を指定した上で、オブジェクト、すなわち基準画像Ｐ１を、背景のない水面画像のみとしてもよい。基準画像Ｐ１は、図６に示す画像情報５１に格納され、画像パッケージファイル５０とともに記憶部１３の画像データ保存部１３ｅに保存される。
【００６２】
記憶部１３に保存される静止画像である基準画像Ｐ１を用いて待ち受け画像をメインディスプレイ２Ｍに表示させる場合（第１工程）、画像表示処理部１２ｃは、まず、基準画像Ｐ１をメインディスプレイ２Ｍに表示させる。この場合、基準画像Ｐ１の方がメインディスプレイ２Ｍの表示可能サイズよりも若干大きい。このため、画像表示処理部１２ｃは、基準画像Ｐ１の中央寄りの所定のピクセル分のみ、すなわち基準画像Ｐ１の外側の一部を除いて描画させ、メインディスプレイ２Ｍに表示させる。この例では４００×２４０ピクセル分（図１１−１のハッチングで示す部分）を、メインディスプレイ２Ｍに描画させる。すなわち、画像表示処理部１２ｃは、基準画像Ｐ１の左縦エッジＥＧＬ、右縦エッジＥＧＲ、上横エッジＥＧＡ、下横エッジＥＧＢからそれぞれ５ピクセルずつ内側にある画像を描画して、メインディスプレイ２Ｍに表示させる。
【００６３】
次に、画像表示処理部１２ｃは、基準画像Ｐ１の透過率を０％から増加させる処理を開始する。このとき、画像表示処理部１２ｃは、Ｆｌａｓｈのオブジェクト処理命令を実行して、メインディスプレイ２Ｍの表示位置を基準画像Ｐ１に対して移動させた加工画像Ｐ２を、基準画像Ｐ１から生成する。具体的には、基準画像Ｐ１を、図１１−２の点線で示す現在の位置から所定のピクセル分（この例では５ピクセル分）、メインディスプレイ２Ｍに向かって右側に移動させた部分（図１１−２のハッチングで示す部分）の情報を、加工画像Ｐ２とする。ここで、右側とは、図１１−２に示すｘ軸の正方向である。
【００６４】
したがって、加工画像Ｐ２は、基準画像Ｐ１の右縦エッジＥＧＲから１０ピクセル内側、かつ基準画像Ｐ１の上横エッジＥＧＡ、下横エッジＥＧＢからそれぞれ５ピクセル内側にある画像となる。なお、加工画像Ｐ２の透過率は１００％、すなわち非表示としておく。このように、表示処理例２では、基準画像Ｐ１を移動処理させて、擬似的に２枚目の加工画像Ｐ２を生成する。すなわち、加工画像Ｐ２は、メインディスプレイ２Ｍに対する基準画像Ｐ１の表示範囲を変更することで生成される。したがって、加工画像Ｐ２は、基準画像Ｐ１と同様に静止画像である。表示処理例２では、基準画像Ｐ１の表示範囲を変更して加工画像Ｐ２とすることで、メインディスプレイ２Ｍに表示される基準画像Ｐ１の構成要素の配される位置と加工画像Ｐ２の構成要素の配される位置とを異ならせる。
【００６５】
次に、画像表示処理部１２ｃは、基準画像Ｐ１を表示させた状態で、その透過率を０％から１００％（すなわち非表示）まで徐々に変化（フェードアウト）させる。このとき、画像表示処理部１２ｃは、メインディスプレイ２Ｍに同時に表示されている加工画像Ｐ２の透過率を、１００％（すなわち非表示）から０％まで徐々に変化させる（フェードイン）。すなわち、待ち受け画像を表示する際には、画像表示処理部１２ｃは、基準画像Ｐ１及び加工画像Ｐ２のうち、一の静止画像である基準画像Ｐ１を表示した状態で、基準画像Ｐ１の画像構成要素の配される位置を異ならせた他の静止画像である加工画像Ｐ２をフェードインさせる（第２工程）。そして、画像表示処理部１２ｃは、第２工程においてフェードインさせる加工画像Ｐ２をメインディスプレイ２Ｍに表示させた状態で、先に表示していた基準画像Ｐ１をフェードアウトさせる（第３工程）。なお、画像表示処理部１２ｃは、このフェードインとフェードアウトとを繰り返して、待ち受け画像がメインディスプレイ２Ｍに表示する。
【００６６】
ここで加工画像Ｐ２は、基準画像Ｐ１に対して、画像構成要素の配される位置を異ならせているが、後述するように、加工画像Ｐ２は、基準画像Ｐ１の画像構成要素の色を異ならせてもよい。すなわち、基準画像Ｐ１と加工画像Ｐ２との間で、画像構成要素の配される位置と色との少なくとも一方を異ならせればよい。
【００６７】
基準画像Ｐ１が透過率０％で表示されるときには基準画像Ｐ１のみの表示となり、基準画像Ｐ１及び加工画像Ｐ２の透過率がともに５０％のときには、両者が重畳表示される。このようにすると、メインディスプレイ２Ｍには、基準画像Ｐ１と加工画像Ｐ２とが近距離で行ったり来たりするように表示される。その結果、メインディスプレイ２Ｍには、あたかも基準画像Ｐ１が近距離で往復しているような待ち受け画像が表示される。
【００６８】
ここで、基準画像Ｐ１、加工画像Ｐ２の透過率の時間変化は、表示処理例１における静止画像Ｘ、Ｙの透過率の時間変化と同様である。すなわち、表示処理例２においては、図９の静止画像Ｘを基準画像Ｐ１に、静止画像Ｙを加工画像Ｐ２に置き換えて、それぞれの透過率を時間経過とともに図９に示すように変化させればよい。なお、基準画像Ｐ１から、複数の加工画像を生成して、それぞれの画像の透過率を変化させながらメインディスプレイ２Ｍに表示させてもよい。
【００６９】
図１２−１、図１２−２は、加工画像の模式図である。図１３は、表示処理例２において待ち受け画像を表示させる際に用いる基準画像及び複数の加工画像の透過率の時間変化を示す図である。例えば、上述した手法で生成した加工画像Ｐ２を第１加工画像とする。そして、画像表示処理部１２ｃは、第１加工画像Ｐ２を生成したときの基準画像Ｐ１の位置から、さらに５ピクセル分下側（図１２−１に示すｙ軸の負の方向）に基準画像Ｐ１を移動させた部分（図１２−１のハッチング部分）の情報を、第２加工画像Ｐ３として生成する。また、画像表示処理部１２ｃは、第２加工画像Ｐ３を生成したときの基準画像Ｐ１の位置から、さらに５ピクセル分左側（図１２−２に示すｘ軸の正方向）に基準画像Ｐ１を移動させた部分（図１２−２のハッチング部分）の情報を、第３加工画像Ｐ４として生成する。なお、基準画像Ｐ１の移動量は、５ピクセルに限定されるものではない。
【００７０】
そして、基準画像Ｐ１の透過率と、第１加工画像Ｐ２の透過率と、第２加工画像Ｐ３の透過率と、第３加工画像Ｐ４の透過率とを、それぞれ図１３に示すように、表示をＯＦＦにする期間を設けて周期的に変化させる。それぞれの画像の透過率は、１００％から０％を経て再び１００％になるように、徐々に、かつ周期的に変化する。このように構成要素が配される位置を異ならせた三つ以上の画像の透過率を周期的に変化させることで、基準画像Ｐ１や複数の加工画像をフェードイン、フェードアウトさせる。これによって、二つの画像を用いる場合と比較して、より動きの大きい待ち受け画像をメインディスプレイ２Ｍに表示できる。
【００７１】
表示処理例２においては、少なくとも一つの静止画像を基準画像として用意すれば、基準画像とは異なる加工画像を生成できるので、生成された加工画像と基準画像とを交互にフェードイン、フェードアウトさせて、動きのある待ち受け画像を表示させることができる。このため、少なくとも二つの静止画像を用意する必要のある表示処理例１と比較して、画像パッケージファイルのデータ量を小さくできる。
【００７２】
特に、表示処理例２は、メインディスプレイ２Ｍに表示させる待ち受け画像が精細であって、待ち受け画像の情報（色の数や階調の程度等の情報）の量が多いほど、表示処理例１よりもＦｌａｓｈのデータ、すなわち画像パッケージファイルのデータ量を小さくできる。なお、表示処理例１は、粗くて小さいオブジェクトを待ち受け画像とする場合には、表示処理例２よりも画像パッケージファイルのデータ量を小さくできる。
【００７３】
［表示処理例３］
表示処理例３は、表示処理例２と同様に、少なくとも一つの静止画像である基準画像及び基準画像から生成した加工画像を用いて、待ち受け画像をメインディスプレイ２Ｍに表示させる。表示処理例３は、基準画像の構成要素の色を異ならせた加工画像を生成し、基準画像と、基準画像から生成した加工画像とが重畳表示される状態で、後から表示させた画像を表示させたまま、先に表示させた画像をフェードアウトさせる。
【００７４】
図１４−１は、基準画像の一部のピクセルを示す拡大図、図１４−２、図１４−３は、加工画像の一部のピクセルを示す拡大図である。基準画像Ｐ１は、静止画像であり、メインディスプレイ２Ｍの表示可能サイズよりも若干大きい４１０×２５０ピクセルとする。表示処理例３では、基準画像Ｐ１の色を変更するピクセルの、周囲のピクセルとの階調差の大小で、色の変更の大きさを決定するというルールに則って、基準画像Ｐ１の色を変更して、加工画像Ｐ２を生成する。例えば、図１４−１に示すように、基準画像Ｐ１における、ある座標（ｄ、ｅ）のピクセルの色を変更する場合を考える。
【００７５】
加工画像Ｐ２を生成するにあたり、画像表示処理部１２ｃは、Ｆｌａｓｈのオブジェクト処理命令を実行して、基準画像Ｐ１の色を上記ルールに則って変更した加工画像Ｐ２を、基準画像Ｐ１から生成する。まず、画像表示処理部１２ｃは、基準画像Ｐ１の座標（ｄ、ｅ）のピクセルに隣接する四つの座標（ｄ−１、ｅ）、（ｄ、ｅ−１）、（ｄ＋１、ｅ）、（ｄ、ｅ＋１）の各ピクセルのＲＧＢ値を、これらの四つのピクセルの平均値Ａｖ＿ｒｇｂとそれぞれ比較する。そして、平均値Ａｖ＿ｒｇｂと大きく異なるピクセルが存在する場合、画像表示処理部１２ｃは、座標（ｄ、ｅ）のピクセルを、階調差が大きいエリアにあるピクセルとする。反対に、各ピクセルの座標のＲＧＢ値が、四つのピクセルの平均値Ａｖ＿ｒｇｂと大きく異ならない場合、画像表示処理部１２ｃは、座標（ｄ、ｅ）のピクセルを、階調差が少ないエリアにあるピクセルとする。すなわち、表示処理例３において、階調差が大きいエリアであるか、階調差が少ないエリアであるかは、基準画像Ｐ１の色を変更する対象のピクセルに隣接する複数のピクセルのＲＧＢ値の平均値に基づいて判定される。
【００７６】
ここで、平均値Ａｖ＿ｒｇｂと大きく異なる一例としては、例えば、Ｒ、Ｇ、Ｂそれぞれの階調差に所定の値（例えば２００）以上が含まれる場合が挙げられる。また、平均値Ａｖ＿ｒｇｂと大きく異ならない一例としては、例えば、Ｒ、Ｇ、Ｂそれぞれの階調差がすべて所定の値（例えば２００）未満である場合が挙げられる。ここで、Ｒ、Ｇ、Ｂそれぞれの階調は、例えば、黒（０）から白（２５５）まで２５６段階で変化する２５６階調であるとする。
【００７７】
基準画像Ｐ１における座標（ｄ、ｅ）のピクセルのＲＧＢ値が（０、２００、２５５）であるとする。この場合、座標（ｄ、ｅ）のピクセルの色は薄紺となる。この座標（ｄ、ｅ）のピクセルについて、色を変更して加工画像Ｐ２を生成する例を説明する。基準画像Ｐ１における座標（ｄ、ｅ）のピクセルが、階調差が少ないエリアにあると画像表示処理部１２ｃが判定した場合、画像表示処理部１２ｃは、基準画像Ｐ１の座標（ｄ、ｅ）のピクセルを、薄紺ＲＧＢ：（０、２００、２５５）から濃紺ＲＧＢ：（０、１５０、２００）へ変更する。このように、座標（ｄ、ｅ）のピクセルの色を画像表示処理部１２ｃが変更することにより生成される画像が、図１４−２に示す加工画像Ｐ２となる。
【００７８】
一方、基準画像Ｐ１における座標（ｄ、ｅ）のピクセルが、階調差が大きいエリアにあると画像表示処理部１２ｃが判定した場合、画像表示処理部１２ｃは、基準画像Ｐ１の座標（ｄ、ｅ）のピクセルを、薄紺ＲＧＢ：（０、２００、２５５）から黒ＲＧＢ：（０、０、０）へ変更する。このように、座標（ｄ、ｅ）のピクセルの色を画像表示処理部１２ｃが変更することにより生成される画像が、図１４−３に示す加工画像Ｐ２となる。表示処理例３では、このような手法で基準画像Ｐ１の構成要素の配される色をピクセル毎に異ならせることで、加工画像Ｐ２を生成する。
【００７９】
このように、基準画像Ｐ１と加工画像Ｐ２とでピクセル毎に色を異ならせるので、両者を重畳表示させ、かつフェードイン、フェードアウトさせた場合には、ざらつき感が少なく、滑らかな動きの待ち受け画像が表示できる。また、上述したように、表示処理例３では、階調差が大きいピクセルの場合には、当該ピクセルに対応する加工画像におけるピクセルの階調は、階調差の小さいエリアのピクセルの場合よりも大きく変更されることになる。これによって、階調差が大きい部分では階調が大きく変更され、階調差が少ない部分では階調が小さく変更されるので、ざらつき感が少なく、滑らかな動きの待ち受け画像が表示できる。なお、表示処理例３において、加工画像Ｐ２は、待ち受け画像が表示されるときに、上記ルールに則って画像表示処理部１２ｃが生成する。
【００８０】
しかし、加工画像Ｐ２を上記の手法で予め生成しておき、図６に示す画像情報５１として加工画像Ｐ２を基準画像Ｐ１とともに画像パッケージファイル５０に格納した上で、記憶部１３の画像データ保存部１３ｅに保存してもよい。そして、基準画像Ｐ１と加工画像Ｐ２とを重畳表示させ、かつ上述したようにフェードイン、フェードアウトを繰り返して、待ち受け画像を表示させてもよい。なお、上記の手法を用いて、上述した表示処理例１で用いる静止画像Ｘから静止画像Ｙを生成してもよい。
【００８１】
表示処理例２では、このようにして、基準画像Ｐ１から所定のピクセルの色を異ならせた加工画像Ｐ２を生成し、表示処理例２と同様に、基準画像Ｐ１と加工画像Ｐ２との透過率を変化させる。これによって、メインディスプレイ２Ｍには、あたかも基準画像Ｐ１の構成要素が明滅しているような待ち受け画像が表示される。なお、基準画像Ｐ１から複数の加工画像を生成し、表示処理例２で説明したようにそれぞれの画像の透過率を変化させてもよい。
【００８２】
なお、表示処理例２と表示処理例３とを組み合わせてもよい。すなわち、少なくとも一つの静止画像である基準画像から、基準画像の構成要素の配される位置及び構成要素の色を異ならせた加工画像を生成してもよい。そして、基準画像と、生成した加工画像とを重畳表示させるとともに、それぞれの画像の透過率を、タイミングを互い違いとして変化させることにより、待ち受け画像をメインディスプレイ２Ｍに表示させてもよい。このようにすると、メインディスプレイ２Ｍには、あたかも基準画像Ｐ１が近距離で往復し、かつ基準画像Ｐ１の構成要素が明滅しているような待ち受け画像が表示される。その結果、表示処理例２や表示処理例３を単独で実行するよりも、さらに変化のある待ち受け画像をメインディスプレイ２Ｍに表示できる。
【００８３】
［表示処理例４］
表示処理例４は、複数の異なる基準画像、及びこれらの構成要素の配される位置を異ならせた複数の加工画像を用いる。そして、複数の基準画像及び加工画像のうち、先に一の画像を表示したまま、後から他の画像をフェードインして重畳表示させる。そして、少なくとも二つの画像が重畳表示される状態で、後から表示させた画像を表示させたまま、先に表示させた画像をフェードアウトさせ、フェードインとフェードアウトとを繰り返す。
【００８４】
図１５−１、図１５−２は、基準画像及び加工画像の模式図である。表示処理例４において、まず基準画像Ｑと基準画像Ｒとを予め用意しておく。基準画像Ｑ及び基準画像Ｒの画像サイズは、Ｗ−ＱＶＧＡよりも若干大きい４１０×２５０ピクセルとする。基準画像Ｑ及び基準画像Ｒは、ともに水面画像である。基準画像Ｑと基準画像Ｒとは、色の明暗の違いはあるものの、メインディスプレイ２Ｍに表示される画像としては似通っている。Ｆｌａｓｈにおいては、基準画像Ｑ及び基準画像Ｒそのものがオブジェクトとして扱われる。なお、黒い背景上に水面が描かれた画像をオブジェクト、すなわち基準画像Ｑ、Ｒとしてもよいし、Ｆｌａｓｈデータ上の背景色として黒を指定した上でオブジェクト、すなわち基準画像Ｑ、Ｒを水面画像だけとしてもよい。
【００８５】
表示処理例４において、待ち受け画像を表示させるにあたって、基準画像Ｑの一部をメインディスプレイ２Ｍに表示させた状態で、その透過率を０％から１００％（非表示）まで徐々に変化させる。このとき、同時に基準画像Ｒの一部を１００％（非表示）から０％まで徐々に変化させる。
【００８６】
画像表示処理部１２ｃは、Ｆｌａｓｈのオブジェクト処理命令を実行して、基準画像Ｑをメインディスプレイ２Ｍに表示させる。このとき、基準画像Ｑの方がメインディスプレイ２Ｍよりも若干大きいため、画像表示処理部１２ｃは、基準画像Ｑの中央寄りの４００×２４０ピクセル分のみを描画させ、メインディスプレイ２Ｍに表示させる。これは、上述した表示処理例２で説明したように、メインディスプレイ２Ｍよりも若干大きい基準画像Ｐ１の中央寄りの４００×２４０ピクセル分のみを描画させ、メインディスプレイ２Ｍに表示させる例と同様である。
【００８７】
次に、画像表示処理部１２ｃは、加工画像Ｑ１の透過率を０％から１００％に増加させる処理を開始する。同時に、画像表示処理部１２ｃは、基準画像Ｒの透過率を１００％としてメインディスプレイ２Ｍに表示させる。基準画像Ｒもメインディスプレイ２Ｍより若干大きいため、基準画像Ｑと同様に、画像表示処理部１２ｃは、中央寄りの４００×２４０ピクセル分のみを描画させ、メインディスプレイ２Ｍに表示させる。
【００８８】
そして、画像表示処理部１２ｃは、基準画像Ｑの透過率を徐々に増加させながら、基準画像Ｒの透過率を徐々に減少させる。その後、基準画像Ｒが完全にメインディスプレイ２Ｍに表示されると同時に、基準画像Ｑがメインディスプレイ２Ｍから消えるとき、画像表示処理部１２ｃは、加工画像Ｑ１を透過率１００％からメインディスプレイ２Ｍに表示させる。ここで、加工画像Ｑ１は、図１５−１の点線で示す、現在の基準画像Ｑの位置から５ピクセル分右側（図１５−１に示すｘ軸の正方向）に基準画像Ｑ移動させて得られる情報を、加工画像Ｑ１とする。
【００８９】
また、基準画像Ｒが消えるときには、画像表示処理部１２ｃは、同時に加工画像Ｒ１を透過率１００％からメインディスプレイ２Ｍに表示させる。ここで、加工画像Ｒ１は、図１５−２の点線で示す、現在の基準画像Ｒの位置から５ピクセル分下側（図１５−２に示すｙ軸の負の方向）に基準画像Ｒを移動させて得られる情報を、加工画像Ｒ１とする。なお、加工画像Ｑ１、Ｒ１を生成する場合、基準画像Ｑ、Ｒをずらす方向はいずれの方向でもよい。
【００９０】
基準画像Ｑ、Ｒ及び加工画像Ｑ１、Ｒ１の透過率の時間変化は、表示処理例２における基準画像Ｐ１、第１加工画像Ｐ２、第２加工画像Ｐ３、第３加工画像Ｐ４の透過率の時間変化と同様である。すなわち、図１２の基準画像Ｐ１を基準画像Ｑに、第１加工画像Ｐ２を基準画像Ｒに、第２加工画像Ｐ３を加工画像Ｑ１に、第３加工画像Ｐ４を加工画像Ｒ１に置き換える。そして、画像表示処理部１２ｃは、それぞれの透過率を時間経過とともに図１２に示すように変化させればよい。
【００９１】
表示処理例４では、上記処理によって、メインディスプレイ２Ｍには、あたかも基準画像Ｐ１が近距離で往復し、かつ基準画像Ｐ１の構成要素が明滅しているような待ち受け画像が表示される。その結果、表示処理例２や表示処理例３を単独で実行するよりも、さらに変化のある待ち受け画像をメインディスプレイ２Ｍに表示できる。また、本表示処理例では、表示処理例１や表示処理例２よりも、Ｆｌａｓｈのデータ、すなわち画像パッケージファイルのデータ量は若干大きくなる。しかし、アニメーションを用意する場合と比較して、非常に小さなデータ量であるにもかかわらず、同じ画像が表示される頻度はほぼ０であり、終わりのないアニメーションをメインディスプレイ２Ｍに表示できる。
【００９２】
動画を表示させる場合、多数の画像あるいはオブジェクトを用意しておき、所定のフレームレート（例えば１秒あたり８回あるいは１６回）で画面を書き換えるようにすることが一般的である。しかし、この手法では、滑らかな動きを実現しようとすると、高いフレームレートで画面を書き換える必要があり、結果として多数の画像が必要になる。その結果、データ量が非常に大きくなるので、待ち受け画像を保存するために多大な領域を記憶部に確保する必要があり、さらに、処理部の負荷も非常に大きくなる。
【００９３】
本実施形態では、上述したように、一の静止画像を表示した状態で、当該静止画像の画像構成要素の配される位置と色との少なくとも一方を異ならせた他の静止画像をフェードインさせ、当該他の静止画像を表示させた状態で、先に表示していた静止画像をフェードアウトさせる。これによって、本実施形態では、最低二つの画像があれば、多数の画像を用意しなくとも、動きに変化のある画像を携帯電子機器の表示部に表示させることができる。その結果、画像データを小容量化するとともに処理負荷を軽減でき、さらに、動きに変化のある多彩な画像を表示させることができる。特に、携帯電子機器は、据え置き型の機器と比較して、ＭＰＵの処理能力は低く、また、記憶部の記憶容量も小さいので、本実施形態に係る画像表示方法は、携帯電子機器に対して極めて有効である。
【００９４】
さらに、本実施形態のように、画像パッケージファイル５０を用いることにより、次のような利点も得られる。画像パッケージファイル５０は、上述したように単一のデータファイルとして取り扱われるので、待ち受け画像を生成するための画像データ等のデータサイズが明確になる。このため、携帯電子機器１の設計時に、画像パッケージファイル５０のデータサイズに制限を加える等しておけば、処理部１２を構成するＭＰＵのリソースの範囲内で快適に動作できるようになる。その結果、多種類の異なる画像（待ち受け画像）が頻繁に表示されるにもかかわらず、ＭＰＵのリソースの範囲内で快適に動作できるので、携帯電子機器１のユーザーに対して表示が遅い等の不快感を与えることが少なくなる。
【００９５】
また、複数の無関係な画像データをランダムに表示部１７へ表示させる場合、必要な画像データのサイズがどの程度になるかは開発者側では想定できない。その結果、ＭＰＵのリソースや記憶部の割り当て等をどの程度用意しておけばよいかが把握できない。しかし、本実施形態に係る画像生成方法に必要なデータ（ソフトウェアも含む）を一つの画像パッケージファイル５０にまとめ、かつ画像パッケージファイル５０のデータサイズに制限を加える等しておけば、前記制限の範囲内でＭＰＵのリソースや記憶部の割り当てをすればよい。これによって、開発も容易になる。
【００９６】
また、画像パッケージファイル５０のデータサイズに制限を加えておくとともに、内蔵される複数の画像パッケージファイルのサイズをそれぞれ同程度にしておけば、同じハードウェアの仕様の携帯電子機器間において異なる画像パッケージファイル５０を選択し、実行するようにした場合でも、同程度の処理速度となる。これによって、ハードウェアの仕様が同じであれば、携帯電子機器間において処理速度の差はほとんど発生しなくなるので、同じハードウェアの仕様の携帯電子機器間における処理速度の違和感を低減できる。その結果、ハードウェアの仕様が同じであれば、携帯電子機器間において画面上の見た目を異ならせたにも関わらず、処理速度の差はほとんど発生しなくなるので、同じハードウェアの仕様の携帯電子機器間における処理速度の違和感を低減できる。なお、画像パッケージファイル５０に格納された画像データを処理する画像生成ソフトウェアを画像パッケージファイル５０に加える場合、画像生成ソフトウェアは同じハードウェアの仕様の携帯電子機器間で共通化しておくことが好ましい。
【００９７】
（実施形態２）
実施形態２は、表示部に表示される画像の情報を第１のデザイン情報として用意するとともに、第１のデザイン情報とは異なる画像情報（表示部に表示される画像の情報）を有する複数のデザイン情報を用意する。そして、携帯電子機器の製造ＩＤに基づき、第１のデザイン情報を用いた第１の表示制御と、第１のデザイン情報とは異なる画像情報を有する第２のデザイン情報を用いた第２の表示制御とのいずれかにより待ち受け画像を表示部に表示するものである。
【００９８】
本実施形態では、複数のデザイン情報を用いて、携帯電子機器の筐体のデザイン、例えば、筐体の色、模様、形状のイメージに合ったデザインの待ち受け画像を生成させる。このため、複数のＩＤ情報と、それぞれ異なる画像情報を有する複数のデザイン情報とをそれぞれ対応付けておくとともに、製造ＩＤの一部に、携帯電子機器の筐体のデザインを一義的に示す情報を含ませる。そして、自装置の製造ＩＤの少なくとも一部に対応するＩＤ情報を複数のＩＤ情報から検索し、検索されたＩＤ情報に対応するデザイン情報が、表示部に表示される待ち受け画像として設定される。
【００９９】
図１６は、携帯電子機器に付される製造ＩＤの一例を示す図である。図１７は、ＩＤ情報と、ＩＤ情報に対応する画像パッケージファイルとの関係を示すデータテーブルである。図１６に示すように、本実施形態において、携帯電子機器の製造ＩＤは、３桁の文字列と７桁の数列とで表現される。このうち、７桁の数列が携帯電子機器の製造順に付される、それぞれの携帯電子機器に固有の番号、すなわち製造番号である。また、本実施形態においては、上位１桁目から順にＫＣＫで構成される文字列の一部に、携帯電子機器の筐体のデザインを一義的に示す情報（以下、筐体デザイン情報という）が含まれる。
【０１００】
より具体的には、前記文字列の上から３桁目に、筐体デザイン情報が記述される。筐体デザイン情報は、携帯電子機器の筐体のデザインと１対１で対応付けられているので、筐体デザイン情報により、携帯電子機器の筐体のデザインが一義的に決定される。本実施形態においては、筐体デザイン情報は筐体の色を一義的に示すものとするので、製造ＩＤに含まれる文字列の一部は、携帯電子機器の筐体の色を一義的に示す情報となる。
【０１０１】
このように、本実施形態では、製造ＩＤの少なくとも一部、より具体的には、製造ＩＤを構成する文字列に、携帯電子機器の筐体デザイン情報を含ませる。すなわち、本実施形態においては、筐体デザイン情報が製造ＩＤに含まれて、製造番号とともに製造ＩＤを構成する。このように、本実施形態において、筐体デザイン情報は、自機器と他の携帯電子機器とを区別する製造番号とは別の桁に記述されるので、筐体デザイン情報と製造番号とは無関係になる。
【０１０２】
図１７のデータテーブル７０に示すように、本実施形態では、複数のＩＤ情報Ｋ、Ｑ、Ｐと、複数の画像パッケージファイル５０Ａ、５０Ｂ、５０Ｃとがそれぞれ対応付けられて記述されている。なお、画像パッケージファイルの数は３に限定されるものではない。画像パッケージファイル５０Ａ、５０Ｂ、５０Ｃは、実施形態１で説明したように、画像情報及び処理情報を単一のデータファイルとしてパッケージ化したものである。画像パッケージファイル５０Ａ、５０Ｂ、５０Ｃは、携帯電子機器の表示部に表示させる待ち受け画像のデザインを決定するデザインである。画像情報は、実施形態１で説明した画像表示方法によって携帯電子機器の表示部に表示させる静止画像を含む。パッケージ化され、単一のデータファイルとして取り扱われる画像パッケージファイル５０Ａ、５０Ｂ、５０Ｃを用いることの利点は、実施形態１で説明した、画像パッケージファイル５０を用いることの利点と同様である。
【０１０３】
ＩＤ情報は、携帯電子機器の筐体のデザイン（この例では色）を一義的に示す情報となる。したがって、ＩＤ情報がＫである場合は携帯電子機器の筐体の色が黒であることを示し、ＩＤ情報がＱである場合は携帯電子機器の筐体の色が黒白であることを示し、ＩＤ情報がＰである場合は携帯電子機器の筐体の色がピンクであることを示す。
【０１０４】
それぞれの画像パッケージファイル５０Ａ、５０Ｂ、５０Ｃは、対応するＩＤ情報に応じて、オブジェクトの色調やフェードイン、フェードアウトの速さ等といった画像情報が変更してある。そして、ＩＤ情報に対応した画像パッケージファイルを用いて待ち受け画像を生成することで、携帯電子機器の筐体色のイメージに合った待ち受け画像を表示させることができる。
【０１０５】
携帯電子機器の製造ＩＤには、筐体デザイン情報が含まれているので、自機器の製造ＩＤに含まれる筐体デザイン情報に対応するＩＤ情報を、複数のＩＤ情報Ｋ、Ｑ、Ｐから検索する。ＩＤ情報は携帯電子機器の筐体のデザインを一義的に示すので、このようにして検索されたＩＤ情報に対応する画像パッケージファイルには、自機器の筐体のデザインに対応した待ち受け画像を生成できるデータが保存されている。したがって、筐体デザイン情報を含む自機器の製造ＩＤに基づいて選択された画像パッケージファイルを用いて待ち受け画像を生成することにより、自機器の筐体色のイメージに合った待ち受け画像を表示させることができる。
【０１０６】
本実施形態においては、複数の画像パッケージファイルの中から、ある画像パッケージファイルを第１のデザイン情報として用いて、待ち受け画像を表示させる制御を第１の表示制御とする。また、複数の画像パッケージファイルの中から、第１のデザイン情報とは異なる画像情報を有する画像パッケージファイルを第２のデザイン情報として用いて、待ち受け画像を表示させる制御を第２の表示制御とする。本実施形態では、上述したように、複数の画像パッケージファイルの中から製造ＩＤに応じた画像パッケージファイルを選択するので、携帯電子機器の製造ＩＤに基づいて、第２のデザイン情報を用いた第２の表示制御と第１の表示制御とのいずれかにより待ち受け画像を表示させることになる。
【０１０７】
なお、上記説明では、筐体の色のイメージに合う待ち受け画像を表示させる例を説明したが、筐体の形状や模様のイメージに合ったデザインの待ち受け画像を表示させるようにしてもよい。例えば、筐体の形状が角張っている場合、背景上に表示させるオブジェクトを角張ったデザインにしたり、筐体の形状が丸みを帯びている場合には背景状に表示させるオブジェクトを、曲線を有するデザインにしたりする。
【０１０８】
このように、本実施形態では、携帯電子機器の筐体のデザインを一義的に示す情報であるＩＤ情報に基づき、第１のデザイン情報を用いた第１の表示制御と、複数のデザイン情報のいずれか一つを用いた第２の表示制御とのいずれかにより待ち受け画像を表示部に表示させる。これによって、筐体のデザインのイメージに合った待ち受け画像を表示させることができる。次に、本実施形態に係る携帯電子機器の機能を説明する。
【０１０９】
図１８は、実施形態２に係る携帯電子機器の機能を説明するブロック図である。本実施形態に係る携帯電子機器１ａは、実施形態１に係る携帯電子機器１に対して、処理部１２に起動部１２ｇを、記憶部１３に起動タスク１３ｆと、製造ＩＤ保存部１３ｇと、設定保存部１３ｈと、データテーブル保存部１３ｉとを追加で備える点が異なる。携帯電子機器１ａの他の構成は、携帯電子機器１と同様である。
【０１１０】
起動部１２ｇの機能は、処理部１２及び記憶部１３で構成されるハードウェア資源が、主処理部１２ａによって割り当てられるタスクを実行することにより実現される。本実施形態において、起動部１２ｇの機能は、起動部１２ｇが起動タスク１３ｆを実行することにより実現される。このように、起動部１２ｇが有する機能は、起動タスク１３ｆを処理部１２で実行することにより実現されるものである。したがって、処理部１２内において、主処理部１２ａや起動部１２ｇ等は、それぞれ物理的に区別されて構成されるものではない。なお、処理部１２内において、主処理部１２ａや起動部１２ｇ等をそれぞれ物理的に区別して、すなわち、それぞれの機能を実現する専用のハードウェアとして構成してもよい。
【０１１１】
起動タスク１３ｆは、携帯電子機器１ａの電源起動時に実行される。そして、起動タスク１３ｆは、例えば、携帯電子機器１ａが工場から出荷された後や、修理等を受けてリセット（処理部１２及び記憶部１３が初期化）された後に、初めて携帯電子機器１の電源が投入された場合には、携帯電子機器１ａの製造ＩＤに基づき、携帯電子機器１ａの表示部１７を構成するメインディスプレイ２Ｍに表示される待ち受け画像を設定する機能を有する。
【０１１２】
記憶部１３の製造ＩＤ保存部１３ｇには携帯電子機器１ａの製造ＩＤが保存され、設定保存部１３ｈには、起動部１２ｇが起動タスク１３ｆを実行することで設定される携帯電子機器１ａの初期設定情報が保存される。また、データテーブル保存部１３ｉには、携帯電子機器１ａの初期設定等に必要なデータとして、上述したデータテーブル７０が保存される。次に、本実施形態において、携帯電子機器に表示される画像を設定して、設定された画像を表示させる手順を説明する。
【０１１３】
図１９は、実施形態２において、携帯電子機器に表示される画像を設定して、設定された画像を表示させる手順を示す流れ図である。図２０は、記憶部に保存される待ち受け画像管理テーブルを示す模式図である。まず、携帯電子機器１ａの設計段階において、例えば、図１７のデータテーブル７０に示すように、ＩＤ情報と、画像パッケージファイルとを対応付けておく。データテーブル７０は、図１８に示す携帯電子機器１ａの記憶部１３のデータテーブル保存部１３ｉに保存される。したがって、ＩＤ情報と、画像パッケージファイル（第１のデザイン情報及び第２のデザイン情報）とは、記憶部１３に保存される。
【０１１４】
携帯電子機器１ａのメインディスプレイ２Ｍに表示される待ち受け画像を設定する際には、処理部１２がデータテーブル保存部１３ｉに保存されているデータテーブル７０を参照する。また、データテーブル７０を、例えば、起動タスク１３ｆあるいは起動タスク１３ｆを含むアプリケーションソフトウェア内に記述してもよい。いずれの態様でも、ＩＤ情報とデザイン情報とを対応付けた情報は、記憶部１３に保存される。また、携帯電子機器１ａの製造段階において、自機器の製造ＩＤを、図１８に示す記憶部１３の製造ＩＤ保存部１３ｇに保存する。
【０１１５】
携帯電子機器１ａの製造段階においては、携帯電子機器１ａの機能を実現するために必要なソフトウェアを、図１８に示す記憶部１３へインストールする。なお、前記ソフトウェアは、待ち受け画像表示タスク１３ａ、デコードタスク１３ｂ、表示制御タスク１３ｃ、ファイルシステム制御タスク１３ｄ、起動タスク１３ｆを含むものである。このようにして、携帯電子機器１ａが完成する。次に、図１９を用いて、携帯電子機器１ａの表示部１７に表示される待ち受け画像を設定する手順を説明する。次においては、例えば、携帯電子機器１ａが製造されて出荷された後のように、携帯電子機器１ａのリセット後、最初の電源起動後に表示される待ち受け画面を設定する場合を例として説明する。
【０１１６】
携帯電子機器１ａが完成したら、出荷前に携帯電子機器１ａの電源が投入される。これによって、携帯電子機器１ａが起動するか否か、及び着信及び発信が実行できるかが確認される。また、図１８に示す表示部１７を構成するメインディスプレイ２Ｍやサブディスプレイ２Ｓの表示状態が調整される。着信、発信の確認においては、携帯電子機器１ａの記憶部１３に着信、発信の履歴が残るので、出荷前にはこの履歴が消去される。携帯電子機器１ａの着信、発信が確認されたら、携帯電子機器１ａをリセットすることにより、着信、発信の履歴が携帯電子機器１ａの記憶部１３から消去される。そして、携帯電子機器１ａは、箱詰めされて各販売店へ出荷される。
【０１１７】
携帯電子機器１ａが購入されると、各種設定や動作確認のため、例えば販売店において、リセット後初めて携帯電子機器１ａの電源が投入される（ステップＳ２０１）。これによって、携帯電子機器１ａが起動を開始する。すると、主処理部１２ａは、起動部１２ｇに制御を移す。すなわち、主処理部１２ａは、処理部１２及び記憶部１３のハードウェア資源を、起動タスク１３ｆに割り当てる。これにより、起動部１２ｇが起動タスク１３ｆを実行する。
【０１１８】
起動タスク１３ｆが実行されると、起動部１２ｇは、図１８に示す記憶部１３の設定保存部１３ｈに割り当てられるフラグ管理領域に、設定完了フラグＦ１＝１が保存されているか否かを判定する（ステップＳ２０２）。これによって、起動部１２ｇは、携帯電子機器１ａが、リセット後、初の電源起動であるか否かを判定する。ここで、設定保存部１３ｈは、ＥＰＲＯＭ（Erasable Programmable ROM）の一種であるＥＥＰＲＯＭ（Electrically Erasable Programmable ROM）で構成される。
【０１１９】
設定完了フラグＦ１＝１でない場合、すなわち、Ｆ１＝０である場合、携帯電子機器１ａは、リセット後、初の電源起動であり、表示部１７に表示させる待ち受け画像の設定（以下表示画像設定という）は未了であると判定できる。起動部１２ｇがＦ１＝１でない場合と判定した場合（ステップＳ２０２：Ｎｏ）、表示画像設定は未了であると判定できる。この場合、起動部１２ｇは、記憶部１３の製造ＩＤ保存部１３ｇから、自機器の製造ＩＤを読み込む（ステップＳ２０３）。そして、起動部１２ｇは、読み込んだ製造ＩＤの少なくとも一部、すなわち、筐体デザイン情報に対応するＩＤ情報を、複数のＩＤ情報から検索する（ステップＳ２０４）。
【０１２０】
このため、ステップＳ２０４において、起動部１２ｇは、読み込んだ製造ＩＤに含まれる筐体デザイン情報を取得する。そして、起動部１２ｇは、図１７に示すデータテーブル７０を読み出して、データテーブル７０に記述される複数のＩＤ情報から、取得した筐体デザイン情報と一致するＩＤ情報を検索する。例えば、図１６に示す製造ＩＤはＫＣＫ００００００１なので、ＫＣＫからなる文字列の下１桁に記述される筐体デザイン情報と一致するＩＤ情報はＫとなる。このようにして検索されたＩＤ情報は、自機器の製造ＩＤに対応する。
【０１２１】
自機器の製造ＩＤに対応するＩＤ情報により、自機器の筐体のデザインが特定される（ステップＳ２０５）。図１６に示す製造ＩＤのＫＣＫ００００００１が自機器の製造ＩＤである場合、ＩＤ情報はＫなので、データテーブル７０に示すＩＤ情報と筐体の色との関係から、自機器の筐体のデザイン（色）は黒であると特定できる。
【０１２２】
次に、起動部１２ｇは、自機器の筐体のデザインに合う待ち受け画像を、図２０に示す待ち受け画像管理テーブル６５に追加する（ステップＳ２０６）。ここで、図２０に示す待ち受け画像管理テーブル６５を説明する。待ち受け画像管理テーブル６５は、図１８に示す記憶部１３の画像データ保存部１３ｅ内に保存されている。待ち受け画像管理テーブル６５は、待ち受け画像として表示される画像の候補（画像１〜画像５）が記述されている。
【０１２３】
待ち受け画像管理テーブル６５は、６個の画像データを保存する領域（画像保存領域）を有している。そして、待ち受け画像管理テーブル６５には、既に５個の画像データが保存されており、１個の空き領域が用意される。より具体的には、待ち受け画像管理テーブル６５のＮＯ．１からＮＯ．５までの画像保存領域には既に画像データが保存されており、ＮＯ．６の画像保存領域が空き領域ＢＬとなっている。
【０１２４】
待ち受け画像管理テーブル６５には、それぞれの画像保存領域に対して、待ち受け画像選択フラグＦ２を記述する領域が設けられる。待ち受け画像選択フラグＦ２が１に設定されると、それに対応する画像保存領域に保存されている画像が、自機器の表示部１７に表示される待ち受け画像として設定される。ここで、待ち受け画像選択フラグＦ２は、２以上の画像保存領域に対して１に設定されることはない。すなわち、待ち受け画像管理テーブル６５からは１個の待ち受け画像のみが選択される。
【０１２５】
ステップＳ２０６において、起動部１２ｇが、自機器の筐体のデザインに合う待ち受け画像を待ち受け画像管理テーブル６５に追加する場合、起動部１２ｇは、まず、自機器の筐体のデザインに合う待ち受け画像を生成できる画像パッケージファイルを、図１７に示すデータテーブル７０から取得する。データテーブル７０は、ＩＤ情報と複数のデザイン情報とがそれぞれ対応付けられているので、起動部１２ｇは、データテーブル７０を呼び出して、ステップＳ２０４で取得したＩＤ情報に対応するデザイン情報、より具体的には画像パッケージファイルを取得する。例えば、ステップＳ２０４で取得されたＩＤ情報がＫである場合、データテーブル７０からは画像パッケージファイル５０Ａが取得される。
【０１２６】
起動部１２ｇは、ステップＳ２０４で取得されたＩＤ情報に対応する画像パッケージファイルをデータテーブル７０から取得し、待ち受け画像管理テーブル６５の空き領域（ＮＯ．６で示す領域）に書き込む。これによって、自機器の筐体のデザインに合う待ち受け画像を生成できる画像パッケージファイルが、待ち受け画像管理テーブル６５に追加される。次に、起動部１２ｇは、ステップＳ２０６で追加した画像パッケージファイル（本実施形態では５０Ａ）を選択し、待ち受け画像選択フラグＦ２を１に設定する（ステップＳ２０７）。これによって、携帯電子機器１ａの待ち受け時には、待ち受け画像選択フラグＦ２＝１に対応する画像パッケージファイルによって生成される画像が、待ち受け画像としてメインディスプレイ２Ｍに表示される。
【０１２７】
ここで、待ち受け画像管理テーブル６５に追加された画像パッケージファイルは、携帯電子機器１ａがリセットされない限り消去されることはない。このため、初期設定された待ち受け画像をユーザーが変更した後、再び初期設定された画像に戻したい場合には、携帯電子機器１ａをリセットすることなく、簡単な待ち受け画像設定変更の操作で初期設定された待ち受け画像に戻すことができる。
【０１２８】
待ち受け画像の設定が終了したら、起動部１２ｇは、設定保存部１３ｈに割り当てられるフラグ管理領域（図１８参照）に保存される設定完了フラグＦ１を１に書き換える（ステップＳ２０８）。設定完了フラグＦ１が１に書き換えられることにより、起動タスク１３ｆは終了する。起動タスク１３ｆが終了したら、起動部１２ｇは、主処理部１２ａに完了通知を発行する。完了通知を受けた主処理部１２ａは、携帯電子機器１ａの起動が完了した後に、携帯電子機器１ａを待ち受け状態に遷移させる。
【０１２９】
待ち受け状態のときにメインディスプレイ２Ｍへ待ち受け画像が表示される。携帯電子機器１ａが待ち受け状態に遷移したら、主処理部１２ａは、画像表示処理部１２ｃに制御を移す。すなわち、主処理部１２ａは、処理部１２及び記憶部１３のハードウェア資源を、画像表示処理部１２ｃに割り当てる。これにより、画像表示処理部１２ｃは、待ち受け画像表示タスク１３ａを実行する。そして、画像表示処理部１２ｃは、待ち受け画像選択フラグＦ２＝１に対応する画像パッケージファイルを読み込む（ステップＳ２０９）。
【０１３０】
次に、画像表示処理部１２ｃは、読み込んだ画像パッケージファイルに記述されたＦｌａｓｈのオブジェクト処理命令を実行することにより、Ｆｌａｓｈによる画像表示処理、すなわち、実施形態１で説明した画像表示方法を実行させる。これによって、待ち受け画像を生成して、メインディスプレイ２Ｍに表示させる（ステップＳ２１０）。
【０１３１】
次に、ステップＳ２０２へ戻って説明する。起動部１２ｇがＦ１＝１である場合と判定した場合（ステップＳ２０２：Ｙｅｓ）、表示画像設定は完了していると判定できる。この場合、起動タスク１３ｆは終了する。起動タスク１３ｆが終了したら、起動部１２ｇは、主処理部１２ａに完了通知を発行する。完了通知を受けた主処理部１２ａは、携帯電子機器１ａの起動が完了した後に、携帯電子機器１ａを待ち受け状態に遷移させる。
【０１３２】
待ち受け状態に遷移したら、主処理部１２ａは、画像表示処理部１２ｃに制御を移す。画像表示処理部１２ｃは、待ち受け画像管理テーブル６５を確認して（ステップＳ２１１）、待ち受け画像選択フラグＦ２＝１の画像パッケージファイルを検索する。そして、画像表示処理部１２ｃは、待ち受け画像表示タスク１３ａを実行して、待ち受け画像選択フラグＦ２＝１に対応する画像パッケージファイルを読み出す（ステップＳ２０９）。その後、画像表示処理部１２ｃは、読み込んだ画像パッケージファイルに記述されたＦｌａｓｈのオブジェクト処理命令を実行することにより待ち受け画像を生成して、メインディスプレイ２Ｍに表示させる（ステップＳ２１０）。
【０１３３】
上記手順により、携帯電子機器１ａのリセット後、初の電源起動の後にメインディスプレイ２Ｍへ表示させる待ち受け画像が設定される。なお、ユーザーが待ち受け画像やメニュー画像を変更したい場合、ユーザーが選択した画像に対して待ち受け画像選択フラグＦ２が設定される。これによって、待ち受け画像選択フラグＦ２＝１の画像が画像データ保存部１３ｅから読み出され、待ち受け画像やメニュー画像としてメインディスプレイ２Ｍに表示される。本実施形態に係る画像設定の手法を用いることにより、上述したように、携帯電子機器１ａを構成する筐体のデザインのイメージに合った待ち受け画像を表示できる。
【０１３４】
通常、携帯電子機器の筐体のデザインによって携帯電子機器を購入するユーザーに偏りが発生する。例えば、筐体の色がピンクであったり、形状が丸みを帯びていたりすると、女性が多く購入し、筐体の色が寒色系であったり、形状が直線的であったりすると、男性が多く購入する傾向がある。ここで、従来の設計・製造手法では、予め携帯電子機器に設定した待ち受け画像やメニュー画像、あるいはアニメーション画像等が単一であり、必ずしも筐体のデザインに対応したものが最初に表示される訳ではない。その結果、購入したユーザーの嗜好から外れ過ぎてしまうというケースが起こりやすい。
【０１３５】
このような場合、購入したユーザーは、携帯電子機器が備える機能設定メニューや取り扱い説明書により、表示される画像を切り替える作業が必要となる。仮に、携帯電子機器の扱いに不慣れなユーザーの場合、画像の切り替え作業は困難であることが多く、出荷時に設定された状態のまま携帯電子機器の使用を継続するという状況も発生し得る。一方、携帯電子機器のメーカーは、ユーザーからの質問やクレームに対して、携帯電子機器の機能設定で画像の切り替えができることを知らせることで前記質問やクレームを解決できるが、そのための手間や時間が発生する。
【０１３６】
これらを解決するには、携帯電子機器の筐体のデザイン毎に、携帯電子機器へインストールするソフトウェアを分け、それぞれのデザインにあった待ち受け画像やメニュー画像が表示されるようにするというような製造工程にすれば解決できる。しかし、携帯電子機器へインストールするソフトウェアを複数に分けること自体が生産効率を低下させ、また間違いを発生しやすいシステムであるため、正しいソフトウェアがインストールされない危険性が高い。
【０１３７】
例えば、携帯電子機器の製造工程において、黒の筐体を持つ携帯電子機器に、誤ってピンク用のソフトウェアをインストールしてしまうおそれがある。この場合、筐体の色のイメージに合わない待ち受け画像やメニュー画像が表示されてしまう。また、ソフトウェアのバグを修正したので、修正したソフトウェアを携帯電子機器へダウンロードする必要が生じた場合、ソフトウェアの開発部門においては、ある筐体のデザインに対応したソフトウェアについての修正が漏れてしまうおそれがある。これは、携帯電子機器へインストールするソフトウェアが複数に分かれているが故に発生するヒューマンエラーである。
【０１３８】
本実施形態では、携帯電子機器を構成する筐体のデザインを判別する手段として、携帯電子機器の固有の識別標識である製造ＩＤを用いる。これによって、携帯電子機器が備える筐体のデザインを判別して、待ち受け画像の設定を、筐体のデザインに合わせることができる。これによって、携帯電子機器の表示部に表示される画像のデザイン開発において、初期状態として一つの画像を選択しなくてはならないという制限がある場合でも、それぞれの筐体のデザインイメージにあったデザインの画像を初期設定情報として、予め携帯電子機器に設定できる。その結果、携帯電子機器は、筐体のデザインのイメージと画像のイメージとのずれを低減できる。そして、携帯電子機器の開発者としては、筐体のデザインのイメージに合った待ち受け画像を表示させることができる利点がある。
【０１３９】
また、携帯電子機器を企画したり開発したりする者にとっては、携帯電子機器の筐体のデザイン毎にインストールするソフトウェアを分けて用意する必要はない。すなわち、デザイン情報（表示部１７に表示される画像のデザインについての情報）を記憶部に保存するとともに、携帯電子機器の製造ＩＤとデザイン情報との対応関係を特定しておくことにより、携帯電子機器へインストールするソフトウェアは１種類で済む。また、ソフトウェアのインストールも同一の工程で済む。その結果、携帯電子機器の筐体のデザインを複数設定し、筐体のバリエーションを多数展開する場合でも、簡単な構成で、携帯電子機器の製造コストの増加を大幅に抑制できる。
【０１４０】
また、上述したように、携帯電子機器へインストールするソフトウェアは１種類で済む。このため、本実施形態では、簡単な構成で、携帯電子機器へインストールされるソフトウェアを複数用意することによる危険を回避しつつ、筐体のデザイン毎に、それぞれ個別に企画者や開発者が意図した通りのラインナップを確立できるという利点もある。また、開発段階において初期設定情報を最適化することにより、ユーザーの嗜好から外れ過ぎてしまうというケースを低減させることができる。
【０１４１】
また、携帯電子機器の販売会社としては、筐体のデザインが異なる携帯電子機器毎に、異なる待ち受け画像を提示できる。このため、ユーザーの傾向に応じたサービスが展開し易くなり、その結果、販売会社としてユーザーに使ってもらいたいサービスをより訴求できるという利点がある。さらに、携帯電子機器を購入したユーザーは、筐体のデザインと表示部に表示される画像のデザインとが統一された携帯電子機器を手にすることができる。そして、筐体のデザインのイメージに合ったデザインの待ち受け画像やメニュー画像が初期設定されているので、これらを予め設定しなおす手間が省けるという利点がある。
【０１４２】
また、本実施形態では、製造ＩＤとデザイン情報との対応関係が設定された後に、その設定を記憶部に保存する。具体的には、携帯電子機器の筐体のデザインに合った待ち受け画像に対して、待ち受け画像選択フラグＦ２を１にして、記憶部に保存する。これによって、携帯電子機器の電源起動が発生する度に製造ＩＤを読み込んだり、ＩＤ情報を検索したりする必要がなくなる。その結果、電源起動に要する時間が長くなることを回避できる。そして、折り畳み式の筐体においては、筐体を開状態に遷移させる度に、製造ＩＤを読み込んだり、ＩＤ情報を検索したりする必要がなくなる。その結果、待ち受け画像を表示させるときに要する時間が長くなることを回避できる。
【０１４３】
また、携帯電子機器の製造ＩＤに、製造番号とは無関係になるように筐体デザイン情報を含ませる。そして、この筐体デザイン情報を用いて、自機器の筐体のデザインを判別し、対応する待ち受け画像やメニュー画像等を設定する。このため、携帯電子機器が追加製造され、製造番号が増加しても、その携帯電子機器の製造ＩＤに含まれる筐体デザイン情報を参照すれば、その携帯電子機器の筐体のデザインを判別できる。これによって、携帯電子機器の製造ＩＤに含まれる筐体デザイン情報と、ＩＤ情報と、デザイン情報とを対応付けておけば、データテーブルや起動タスクを新たに作り直す必要はない。その結果、本実施形態では、携帯電子機器の追加製造に対して柔軟に対応できるという効果も得られる。
【０１４４】
上記手順では、携帯電子機器が工場から出荷されて初めて電源が投入された場合を説明したが、携帯電子機器の修理等によって携帯電子機器をリセットした場合も、同様である。この場合も、本実施形態によれば、携帯電子機器の製造ＩＤを用いて、携帯電子機器を構成する筐体のデザインを判別して、筐体のデザインのイメージに合った待ち受け画像を表示させることができる。
【産業上の利用可能性】
【０１４５】
以上のように、本発明に係る携帯電子機器は、表示部に表示される画像の小容量化を実現し、かつ動きに変化のある画像を携帯電子機器の表示部に表示させることに有用である。
【図面の簡単な説明】
【０１４６】
【図１】実施形態１に係る携帯電子機器の正面図である。
【図２】実施形態１に係る携帯電子機器の側面図である。
【図３】実施形態１に係る携帯電子機器を閉じた状態を示す図である。
【図４】実施形態１に係る携帯電子機器の機能を説明するブロック図である。
【図５】本実施形態に係る画像表示方法により画像を表示させる処理の一例を示す流れ図である。
【図６】画像パッケージファイルの概念図である。
【図７】携帯電子機器のメインディスプレイのサイズを示す説明図である。
【図８】表示処理例１に用いる複数の静止画像の寸法を示す説明図である。
【図９】表示処理例１において待ち受け画像を表示させる際に用いる複数の静止画像の透過率の時間変化を示す図である。
【図１０−１】静止画像の拡大図である。
【図１０−２】静止画像の拡大図である。
【図１１−１】基準画像の模式図である。
【図１１−２】加工画像の模式図である。
【図１２−１】加工画像の模式図である。
【図１２−２】加工画像の模式図である。
【図１３】表示処理例２において待ち受け画像を表示させる際に用いる基準画像及び複数の加工画像の透過率の時間変化を示す図である。
【図１４−１】基準画像の一部のピクセルを示す拡大図である。
【図１４−２】加工画像の一部のピクセルを示す拡大図である。
【図１４−３】加工画像の一部のピクセルを示す拡大図である。
【図１５−１】基準画像及び加工画像の模式図である。
【図１５−２】基準画像及び加工画像の模式図である。
【図１６】携帯電子機器に付される製造ＩＤの一例を示す図である。
【図１７】ＩＤ情報と、ＩＤ情報に対応する画像パッケージファイルとの関係を示すデータテーブルである。
【図１８】実施形態２に係る携帯電子機器の機能を説明するブロック図である。
【図１９】実施形態２において、携帯電子機器に表示される画像を設定して、設定された画像を表示させる手順を示す流れ図である。
【図２０】記憶部に保存される待ち受け画像管理テーブルを示す模式図である。
【符号の説明】
【０１４７】
１、１ａ…携帯電子機器、１Ｃ…筐体、１ＣＡ…第１筐体、１ＣＢ…第２筐体、２Ｓ…サブディスプレイ、２Ｍ…メインディスプレイ、３…操作キー、４…方向及び決定キー、５…マイク、６…スピーカ、７…アンテナ、８…通信用端子、９…ヒンジ、１１…通信部、１２…処理部、１２ａ…主処理部、１２ｂ…筐体開閉検知部、１２ｃ…画像表示処理部、１２ｄ…デコード処理部、１２ｅ…表示制御部、１２ｆ…ファイルシステム制御部、１２ｇ…起動部、１３…記憶部、１３ａ…待ち受け画像表示タスク、１３ｂ…デコードタスク、１３ｃ…表示制御タスク、１３ｄ…ファイルシステム制御タスク、１３ｅ…画像データ保存部、１３ｆ…起動タスク、１３ｇ…製造ＩＤ保存部、１３ｈ…設定保存部、１３ｉ…データテーブル保存部、１４…音声処理部、１７…表示部、１８…操作部、５０、５０Ａ、５０Ｂ、５０Ｃ…画像パッケージファイル、５１…画像情報、５２…処理情報、６５…待ち受け画像管理テーブル、７０…データテーブル、ＥＧＡ…上横エッジ、ＥＧＢ…下横エッジ、ＥＧＬ…左縦エッジ、ＥＧＲ…右縦エッジ、Ｆ１…設定完了フラグ、Ｆ２…待ち受け画像選択フラグ、Ｐ１…基準画像、Ｐ２…加工画像、Ｐ３…加工画像、Ｐ４…加工画像、Ｑ…基準画像、Ｑ１…加工画像、Ｒ…基準画像、Ｒ１…加工画像、Ｘ…静止画像、Ｙ…静止画像
【図１】
2010087606.tif 000003
【図２】
2010087606.tif 000004
【図３】
2010087606.tif 000005
【図４】
2010087606.tif 000006
【図５】
2010087606.tif 000007
【図６】
2010087606.tif 000008
【図７】
2010087606.tif 000009
【図８】
2010087606.tif 000010
【図９】
2010087606.tif 000011
【図１０−１】
2010087606.tif 000012
【図１０−２】
2010087606.tif 000013
【図１１−１】
2010087606.tif 000014
【図１１−２】
2010087606.tif 000015
【図１２−１】
2010087606.tif 000016
【図１２−２】
2010087606.tif 000017
【図１３】
2010087606.tif 000018
【図１４−１】
2010087606.tif 000019
【図１４−２】
2010087606.tif 000020
【図１４−３】
2010087606.tif 000021
【図１５−１】
2010087606.tif 000022
【図１５−２】
2010087606.tif 000023
【図１６】
2010087606.tif 000024
【図１７】
2010087606.tif 000025
【図１８】
2010087606.tif 000026
【図１９】
2010087606.tif 000027
【図２０】
2010087606.tif 000028